(57)【要約】  この出願は、パルス整形方法、送信機、受信機、及びシステムを開示する。その送信機は、逆フーリェ変換モジュール、パルス整形フィルタ、パルス整形コントローラ、及びパラレル―シリアル変換モジュールを含む。パルス整形コントローラは、パルス構成シグナリングを受信し、そのパルス構成シグナリングに基づいて、構成されるパルスに対応するパルスパラメータを生成し、そして、パルス整形フィルタにそのパルスパラメータを出力する、ように構成される。パルス整形フィルタは、逆フーリェ変換モジュールの出力信号にサブキャリアレベルのフィルタリングを実行し、パルスパラメータに基づいて、逆フーリェ変換モジュールの出力信号にパルス整形処理を実行し、そして、P/Sモジュールを使用することによって、処理された信号をシリアルに出力する、ように構成される。複数の異なるパルスパラメータは、対応して、複数の異なるパルス形状を表す。上記の解決方法によって、パルス整形を柔軟に構成して、複数の異なる通信シナリオをサポートすることが可能である。
2019512978.tif 000002
【特許請求の範囲】
【請求項１】
逆フーリェ変換(IFT)モジュール、パルス整形フィルタ、パルス整形コントローラ、及びパラレル―シリアル変換(P/S)モジュールを含む送信機であって、
前記逆フーリェ変換モジュールは、シリアル―パラレル変換の後に得られるベースバンド変調信号に逆フーリェ変換を実行し、そして、前記パルス整形フィルタに、変換された信号を出力する、ように構成され、
前記パルス整形コントローラは、パルス構成シグナリングを受信し、前記パルス構成シグナリングに基づいて、構成されるパルスに対応するパルスパラメータを生成し、そして、前記パルス整形フィルタに前記パルスパラメータを出力する、ように構成され、
前記パルス整形フィルタは、前記逆フーリェ変換モジュールの前記出力信号にサブキャリアレベルのフィルタリングを実行し、前記パルスパラメータに基づいて、前記逆フーリェ変換モジュールの前記出力信号にパルス整形処理を実行し、そして、前記P/Sモジュールに、処理された信号を出力する、ように構成され、
前記P/Sモジュールは、前記パルス整形フィルタの前記処理された信号をシリアルに出力するように構成される、
送信機。
【請求項２】
前記第2のフラグビット
【数１】
2019512978.tif 000054
が、第2のイネーブル値に等しい場合に、前記パルス整形フィルタは、追加モジュール及びウィンドウモジュールを含み、
前記追加モジュールは、前記逆フーリェ変換モジュールの前記出力信号に対応するOFDMシンボルに第2の長さのサイクリックサフィックスを追加し、そして、前記ウィンドウモジュールに、前記追加したサイクリックサフィックスを有する前記OFDMシンボルを出力する、ように構成され、
前記ウィンドウモジュールは、前記追加モジュールが出力した前記OFDMシンボルの末尾部分について、前記あらかじめ設定されたウィンドウ関数の後半部分を使用することによって、前記末尾部分のN個のサンプリングポイントにおいて、前記OFDMシンボルにウィンドウ処理を実行し、そして、前記ウィンドウ処理の後に得られる前記OFDMシンボルを出力する、ように構成され、Nは、正の整数である、請求項1に記載の送信機。
【請求項３】
前記第1のフラグビット
【数２】
2019512978.tif 000055
が第1のイネーブル値に等しい場合に、前記パルス整形フィルタは、計算モジュールをさらに含み、
前記追加モジュールは、前記逆フーリェ変換モジュールの前記出力信号に対応する前記OFDMシンボルに第1の長さのサイクリックプレフィックスを追加し、そして、前記ウィンドウモジュールに、前記追加したサイクリックプレフィックスを有する前記OFDMシンボルを出力する、ように構成され、
前記ウィンドウモジュールは、前記追加モジュールが出力した前記OFDMシンボルのヘッダー部分について、前記あらかじめ設定されたウィンドウ関数の前半部分を使用することによって、前記ヘッダー部分のM個のサンプリングポイントにおいて、前記OFDMシンボルにウィンドウ処理を実行し、そして、前記ウィンドウ処理の後に得られる前記OFDMシンボルを前記計算モジュールに出力する、ように構成され、Mは、正の整数であり、
前記計算モジュールは、前記ウィンドウ処理の後に得られる前記OFDMシンボルのヘッダー部分のX個のサンプリングポイントにおいて、前のOFDMシンボルの末尾部分のX個のサンプリングポイント及び前記OFDMシンボルを加算し、そして、前記加算の後に得られる前記OFDMシンボルを出力する、ように構成され、Xは、正の整数である、請求項2に記載の送信機。
【請求項４】
記憶モジュールをさらに含み、前記記憶モジュールは、記憶媒体の中に、前記ウィンドウ処理の後に得られる前記OFDMシンボルの末尾部分のY個のサンプリングポイントを格納するように構成され、Yは、正の整数である、請求項2又は3に記載の送信機。
【請求項５】
前記パルス整形フィルタは、多相レジスタネットワークを含み、前記多相レジスタネットワークは、前記構成されるパルスの前記長さK及び形状Ptypeに基づいて決定される送信端フィルタ係数に基づいて、前記逆フーリェ変換モジュールの前記出力信号にサブキャリアレベルのフィルタリングを実行し、そして、前記パラレル―シリアル変換モジュールに、前記フィルタリングの後に得られる複数のサブキャリアを出力する、ように構成される、請求項1乃至4のうちのいずれか1項に記載の送信機。
【請求項６】
前記パルス構成シグナリングは、前記パルスパラメータを搬送するか、又は、前記パルス構成シグナリングは、前記パルスパラメータの指示情報を搬送する、請求項1乃至4のうちのいずれか1項に記載の送信機。
【請求項７】
前記パルスパラメータは、あらかじめ設定されたパラメータセットのうちのすべて又は一部を含み、前記あらかじめ設定されたパラメータセットは、前記第1のフラグビット
【数３】
2019512978.tif 000056
、前記第2のフラグビット
【数４】
2019512978.tif 000057
、第1の値N1、第2の値N2、前記構成されるパルスの前記形状Ptype、及び単一のシンボル期間に対する前記構成されるパルスの前記長さKを含み、前記第1のフラグビット
【数５】
2019512978.tif 000058
は、パルス整形がシンボルのヘッダーにおいて実行されるか否かを示すのに使用され、前記第2のフラグビット
【数６】
2019512978.tif 000059
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される、請求項1乃至6のうちのいずれか1項に記載の送信機。
【請求項８】
シリアル―パラレル変換(S/P)モジュール、パルス整形フィルタ、パルス整形コントローラ、及びフーリェ変換モジュールを含む受信機であって、
前記S/Pモジュールは、シリアルに入力される通信信号を前記パルス整形フィルタへとパラレルに出力するように構成され、
前記パルス整形コントローラは、パルス構成シグナリングを受信し、前記パルス構成シグナリングに基づいて、構成されるパルスに対応するパルスパラメータを生成し、そして、前記パルス整形フィルタに前記パルスパラメータを出力する、ように構成され、
前記パルス整形フィルタは、前記S/Pモジュールの前記出力信号にサブキャリアレベルのフィルタリングを実行し、前記パルスパラメータに基づいて、前記S/Pモジュールの前記出力信号にパルス形成処理を実行し、そして、前記フーリェ変換モジュールに、処理された信号を出力する、ように構成され、
前記フーリェ変換モジュールは、前記パルス整形フィルタの前記処理された信号にフーリェ変換を実行するように構成される、
受信機。
【請求項９】
前記第2のフラグビット
【数７】
2019512978.tif 000060
が、第2のイネーブル値に等しい場合に、前記パルス整形フィルタは、ウィンドウモジュール及び除去モジュールを含み、
前記ウィンドウモジュールは、前記S/Pモジュールの前記出力信号に対応するOFDMシンボルの末尾部分について、あらかじめ設定されたウィンドウ関数の後半部分を使用することによって、前記末尾部分のN個のサンプリングポイントにおいて、前記OFDMシンボルにウィンドウ処理を実行し、そして、前記ウィンドウ処理の後に得られる前記OFDMシンボルを前記除去モジュールに出力する、ように構成され、Nは、正の整数であり、
前記除去モジュールは、前記ウィンドウ処理の後に得られる前記OFDMシンボルのための第2の長さのサイクリックサフィックスを除去し、そして、前記サイクリックサフィックスを除去した後に得られる前記OFDMシンボルを出力する、ように構成される、請求項8に記載の受信機。
【請求項１０】
前記第1のフラグビット
【数８】
2019512978.tif 000061
が、第1のイネーブル値に等しい場合に、前記パルス整形フィルタは、計算モジュールをさらに含み、
前記計算モジュールは、前記S/Pモジュールの前記出力信号に対応する前記OFDMシンボルのヘッダー部分について、前記ヘッダー部分のX個のサンプリングポイントにおいて、前記OFDMシンボルから、前のOFDMシンボルの末尾部分のX個のサンプリングポイントを減算し、そして、前記ウィンドウモジュールに、前記減算の後の得られる前記OFDMシンボルを出力する、ように構成され、
前記ウィンドウモジュールは、前記減算の後に得られる前記OFDMシンボルのヘッダー部分について、前記あらかじめ設定されたウィンドウ関数の前半部分を使用することによって、前記ヘッダー部分のM個のサンプリングポイントにおいて、前記OFDMシンボルにウィンドウ処理を実行するように構成され、Mは、正の整数であり、
前記除去モジュールは、前記ウィンドウ処理の後に得られる前記OFDMシンボルのための第1の長さのサイクリックプレフィックスを除去し、そして、前記サイクリックサフィックスを除去した後に得られる前記OFDMシンボルを出力する、ように構成される、請求項9に記載の受信機。
【請求項１１】
記憶モジュールをさらに含み、前記記憶モジュールは、記憶媒体の中に、前記S/Pモジュールの前記出力信号に対応する前記OFDMシンボルの末尾部分のY個のサンプリングポイントを格納するように構成され、Yは、正の整数である、請求項9又は10に記載の受信機。
【請求項１２】
前記パルス整形フィルタは、多相レジスタネットワークを含み、前記多相レジスタネットワークは、前記構成されるパルスの前記長さK及び形状Ptypeに基づいて決定される受信端フィルタ係数に基づいて、前記S/Pモジュールの前記出力信号にサブキャリアレベルのフィルタリングを実行し、そして、前記フーリェ変換モジュールに、前記フィルタリングの後に得られる複数のサブキャリアを出力する、ように構成される、請求項8乃至11のうちのいずれか1項に記載の受信機。
【請求項１３】
前記パルスパラメータは、あらかじめ設定されたパラメータセットのうちのすべて又は一部を含み、前記あらかじめ設定されたパラメータセットは、前記第1のフラグビット
【数９】
2019512978.tif 000062
、前記第2のフラグビット
【数１０】
2019512978.tif 000063
、第1の値N1、第2の値N2、前記構成されるパルスの前記形状Ptype、及び単一のシンボル期間に対する前記構成されるパルスの前記長さKを含み、前記第1のフラグビット
【数１１】
2019512978.tif 000064
は、パルス整形がシンボルのヘッダーにおいて実行されるか否かを示すのに使用され、前記第2のフラグビット
【数１２】
2019512978.tif 000065
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される、請求項8乃至12のうちのいずれか1項に記載の受信機。
【請求項１４】
送信端に適用されるパルス整形方法であって、
パルス構成シグナリングを受信し、前記パルス構成シグナリングに基づいて、構成されるパルスに対応するパルスパラメータを生成するステップと、
前記シグナリングに応答して、通信信号に、前記送信端のサブキャリアレベルのフィルタリングを実行し、前記パルスパラメータに基づいて、前記通信信号にパルス整形処理を実行するステップと、を含む、
方法。
【請求項１５】
前記第1のフラグビット
【数１３】
2019512978.tif 000066
が、第1のイネーブル値に等しい場合に、前記パルスパラメータに基づいて、前記通信信号にパルス整形処理を実行する前記ステップは、特に、
前記通信信号に対応するOFDMシンボルに第1の長さのサイクリックプレフィックスを追加するステップと、
前記第1の長さの前記追加したサイクリックプレフィックスを有する前記OFDMシンボルのヘッダー部分について、あらかじめ設定されたウィンドウ関数の前半部分を使用することによって、前記ヘッダー部分のM個のサンプリングポイントにおいて、前記OFDMシンボルにウィンドウ処理を実行するステップであって、Mは、正の整数である、ステップと、
前記ウィンドウ処理の後に得られる前記OFDMシンボルのヘッダー部分のX個のサンプリングポイントにおいて、前のOFDMシンボルの末尾部分のX個のサンプリングポイント及び前記OFDMシンボルを加算するステップであって、Xは、正の整数である、ステップと、
前記加算の後に得られる前記OFDMシンボルに対応する信号の複数のチャネルにパラレル―シリアル変換を実行し、変換された信号を出力するステップと、を含む、請求項14に記載の方法。
【請求項１６】
前記第2のフラグビット
【数１４】
2019512978.tif 000067
が、第2のイネーブル値に等しい場合に、前記パルスパラメータに基づいて、前記通信信号にパルス整形処理を実行する前記ステップは、特に、
前記通信信号に対応する前記OFDMシンボルに第2の長さのサイクリックサフィックスを追加するステップと、
前記第2の長さの前記追加したサイクリックサフィックスを有する前記OFDMシンボルの末尾部分について、前記あらかじめ設定されたウィンドウ関数の後半部分を使用することによって、前記末尾部分のN個のサンプリングポイントにおいて、前記OFDMシンボルにウィンドウ処理を実行するステップであって、Nは、正の整数である、ステップと、
記憶媒体の中に、前記ウィンドウ処理の後に得られる前記OFDMシンボルの末尾部分のY個のサンプリングポイントを格納するステップと、を含み、Yは、正の整数である、請求項14又は15に記載の方法。
【請求項１７】
前記パルスパラメータに基づいて、前記通信信号にパルス整形処理を実行する前記ステップは、特に、
前記構成されるパルスの前記長さK及び形状Ptypeに基づいて決定される送信端フィルタ係数に基づいて、前記通信信号にサブキャリアレベルのフィルタリングを実行するステップを含む、請求項14に記載の方法。
【請求項１８】
前記パルス構成シグナリングに基づいて、構成されるパルスに対応するパルスパラメータを生成する前記ステップは、
前記パルス構成シグナリングによって搬送される前記パルスパラメータを取得するステップ、又は、
前記パルスパラメータに関する指示情報に基づいて、前記パルスパラメータを取得するステップであって、前記指示情報は、前記パルス構成シグナリングによって搬送される、ステップ、を含む、請求項14乃至17のうちのいずれか1項に記載の方法。
【請求項１９】
前記パルスパラメータは、あらかじめ設定されたパラメータセットのうちのすべて又は一部を含み、前記あらかじめ設定されたパラメータセットは、前記第1のフラグビット
【数１５】
2019512978.tif 000068
、前記第2のフラグビット
【数１６】
2019512978.tif 000069
、第1の値N1、第2の値N2、前記構成されるパルスの前記形状Ptype、及び単一のシンボル期間に対する前記構成されるパルスの前記長さKを含み、前記第1のフラグビット
【数１７】
2019512978.tif 000070
は、パルス整形がシンボルのヘッダーにおいて実行されるか否かを示すのに使用され、前記第2のフラグビット
【数１８】
2019512978.tif 000071
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される、請求項14乃至18のうちのいずれか1項に記載の方法。
【請求項２０】
受信端に適用されるパルス整形方法であって、
パルス構成シグナリングを受信し、前記パルス構成シグナリングに基づいて、構成されるパルスに対応するパルスパラメータを生成するステップと、
前記シグナリングに応答して、通信信号に、送信端のサブキャリアレベルのフィルタリングを実行し、前記パルスパラメータに基づいて、前記通信信号にパルス整形処理を実行するステップと、を含む、
方法。
【請求項２１】
前記第1のフラグビット
【数１９】
2019512978.tif 000072
が、第1のイネーブル値に等しい場合に、前記パルスパラメータに基づいて、前記通信信号にパルス整形処理を実行する前記ステップは、特に、
前記通信信号に対応するOFDMシンボルのヘッダー部分のX個のサンプリングポイントにおいて、前記OFDMシンボルから、前のOFDMシンボルの末尾部分のX個のサンプリングポイントを減算するステップであって、Xは、正の整数である、ステップと、
前記減算の後に得られる前記OFDMシンボルのヘッダー部分について、あらかじめ設定されたウィンドウ関数の前半部分を使用することによって、前記ヘッダー部分のM個のサンプリングポイントにおいて、前記OFDMシンボルにウィンドウ処理を実行するステップであって、Mは、正の整数である、ステップと、
前記ウィンドウ処理の後に得られる前記OFDMシンボルのための第1の長さのサイクリックプレフィックスを除去するステップと、を含む、請求項20に記載の方法。
【請求項２２】
前記第2のフラグビット
【数２０】
2019512978.tif 000073
が、第2のイネーブル値に等しい場合に、前記パルスパラメータに基づいて、前記通信信号にパルス整形処理を実行する前記ステップは、特に、
前記通信信号に対応する前記OFDMシンボルの末尾部分のN個のサンプリングポイントについて、前記あらかじめ設定されたウィンドウ関数の後半部分を使用することによって、前記N個のサンプリングポイントにおいて、前記OFDMシンボルにウィンドウ処理を実行するステップであって、Nは、正の整数である、ステップと、
前記ウィンドウ処理の後に得られる前記OFDMシンボルのための第2の長さのサイクリックサフィックスを除去するステップと、を含む、請求項20又は21に記載の方法。
【請求項２３】
前記パルスパラメータに基づいて、前記通信信号にパルス整形処理を実行する前記ステップは、特に、
前記構成されるパルスの前記長さK及び形状Ptypeに基づいて決定される受信端フィルタ係数に基づいて、前記通信信号にサブキャリアレベルのフィルタリングを実行するステップを含む、請求項20に記載の方法。
【請求項２４】
前記パルス構成シグナリングに基づいて、構成されるパルスに対応するパルスパラメータを生成する前記ステップは、
前記パルス構成シグナリングによって搬送される前記パルスパラメータを取得するステップ、又は、
前記パルスパラメータに関する指示情報に基づいて、前記パルスパラメータを取得するステップであって、前記指示情報は、前記パルス構成シグナリングによって搬送される、ステップ、を含む、請求項20乃至23のうちのいずれか1項に記載の方法。
【請求項２５】
前記パルスパラメータは、あらかじめ設定されたパラメータセットのうちのすべて又は一部を含み、前記あらかじめ設定されたパラメータセットは、前記第1のフラグビット
【数２１】
2019512978.tif 000074
、前記第2のフラグビット
【数２２】
2019512978.tif 000075
、第1の値N1、第2の値N2、前記構成されるパルスの前記形状Ptype、及び単一のシンボル期間に対する前記構成されるパルスの前記長さKを含み、前記第1のフラグビット
【数２３】
2019512978.tif 000076
は、パルス整形がシンボルのヘッダーにおいて実行されるか否かを示すのに使用され、前記第2のフラグビット
【数２４】
2019512978.tif 000077
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される、請求項20乃至24のうちのいずれか1項に記載の方法。
【請求項２６】
送信機及び受信機を含む通信システムであって、
前記送信機は、請求項1乃至7のうちのいずれか1項に記載の送信機であり、前記受信機は、請求項8乃至13のうちのいずれか1項に記載の受信機である、通信システム。
【発明の詳細な説明】
【関連出願への相互参照】
【０００１】
この出願は、2016年3月31日付で中国特許庁に出願された"パルス整形方法、送信機、受信機、及びシステム"と題する中国特許出願番号第201610200453.8号に基づく優先権を主張し、その内容は、参照により全体が本明細書に取り込まれる。
【技術分野】
【０００２】
この出願は、通信分野に関し、特に、パルス整形方法、送信機、受信機、及びシステムに関する。
【背景技術】
【０００３】
直交周波数分割多重化(Orthogonal  Frequency  Division  Multiplexing,  OFDM)システムは、近年、例えば、ロングタームエボリューション(Long  Term  Evolution,  LTE)システム等の最も広く応用されている通信システムである。
【０００４】
上記のLTE通信システムと比較して、次世代の通信システムは、パフォーマンスの点で改善される必要があるのみならず、新たな無線インターフェイスの設計を使用する新たなサービスのタイプをサポートする必要もある。次世代の通信システムは、伝統的なモバイルブロードバンド(Mobile  Broadband,  MBB)サービスに加えて、さらに、マシントゥマシン(Machine-To-Machine,  M2M)通信、人対コンピュータ通信(Man-Computer  Communication,  MCC)、並びに、超高信頼性及び低遅延通信(Ultra-reliable  and  Low  Latency  Communications,  uMTC)及び大規模マシン型通信(Massive  Machine  Type  Communications,  MMTC)等の他の多様化した新たなサービスをサポートする必要がある。新たな無線インターフェイス技術は、符号化、波形、多元接続、及びフレーム構造等の複数の側面にわたる技術を含む。波形技術は、複数のサービスを柔軟にサポートする際に鍵となり、5Gシステムの新たな無線インターフェイスにとっては極めて重要である。
【０００５】
サイクリックプレフィックス(Cyclic  Prefix,  CP)に基づく直交周波数分割多重化(Orthogonal  Frequency  Division  Multiplexing,  OFDM)技術、すなわち、CP-OFDMは、良好なマルチパス干渉耐性能力を有するとともに、さまざまなMIMO技術との間で良好な互換性を有する。既存のOFDMシステムは、通常、マルチキャリア波形のためのある1つの特定の解決方法としてCP-OFDMを使用している。しかしながら、CP-OFDMシステムにおいては、ウィンドウ処理のために矩形のウィンドウが固定的に使用されている。このことは、隣接チャネル漏洩比(Adjacent  Channel  Leakage  Ratio,  ACLR)及び帯域外電力漏洩比(Out  Of  Band  Emission,  OOBE)等のインジケータを抑圧するという明らかな欠点を有し、多様化されていないパルス形状につながる。したがって、CP-OFDMシステムは、複数の通信シナリオを柔軟にはサポートすることができない。
【発明の概要】
【０００６】
この出願は、パルス整形方法、送信機、受信機、及びシステムを提供して、パルス整形のための柔軟な構成を実装するとともに、複数の異なる通信シナリオをサポートする。
【０００７】
第1の態様によれば、この出願は、逆フーリェ変換(IFT)モジュール、パルス整形フィルタ、パルス整形コントローラ、及びパラレル―シリアル変換(P/S)モジュールを含む送信機であって、
前記逆フーリェ変換モジュールは、シリアル―パラレル変換の後に得られるベースバンド変調信号に逆フーリェ変換を実行し、そして、前記パルス整形フィルタに、変換された信号を出力する、ように構成され、
前記パルス整形コントローラは、パルス構成シグナリングを受信し、前記パルス構成シグナリングに基づいて、構成されるパルスに対応するパルスパラメータを生成し、そして、前記パルス整形フィルタに前記パルスパラメータを出力する、ように構成され、
前記パルス整形フィルタは、前記逆フーリェ変換モジュールの前記出力信号にサブキャリアレベルのフィルタリングを実行し、前記パルスパラメータに基づいて、前記逆フーリェ変換モジュールの前記出力信号にパルス整形処理を実行し、そして、前記P/Sモジュールに、処理された信号を出力する、ように構成され、
前記P/Sモジュールは、前記パルス整形フィルタの前記処理された信号をシリアルに出力するように構成される、送信機を提供する。
【０００８】
第1の態様に関して、第1の態様の第1の可能な実装において、前記第2のフラグビット
【０００９】
【数１】
2019512978.tif 000003
が、第2のイネーブル値に等しい場合に、前記パルス整形フィルタは、追加モジュール及びウィンドウモジュールを含み、
前記追加モジュールは、前記逆フーリェ変換モジュールの前記出力信号に対応するOFDMシンボルに第2の長さのサイクリックサフィックスを追加し、そして、前記ウィンドウモジュールに、前記追加したサイクリックサフィックスを有する前記OFDMシンボルを出力する、ように構成され、
前記ウィンドウモジュールは、前記追加モジュールが出力した前記OFDMシンボルの末尾部分について、前記あらかじめ設定されたウィンドウ関数の後半部分を使用することによって、前記末尾部分のN個のサンプリングポイントにおいて、前記OFDMシンボルにウィンドウ処理を実行し、そして、前記ウィンドウ処理の後に得られる前記OFDMシンボルを出力する、ように構成され、Nは、正の整数である。
【００１０】
第1の態様の第1の可能な実装に関して、第1の態様の第2の可能な実装において、前記第1のフラグビット
【００１１】
【数２】
2019512978.tif 000004
が第1のイネーブル値に等しい場合に、前記パルス整形フィルタは、計算モジュールをさらに含み、
前記追加モジュールは、前記逆フーリェ変換モジュールの前記出力信号に対応する前記OFDMシンボルに第1の長さのサイクリックプレフィックスを追加し、そして、前記ウィンドウモジュールに、前記追加したサイクリックプレフィックスを有する前記OFDMシンボルを出力する、ように構成され、
前記ウィンドウモジュールは、前記追加モジュールが出力した前記OFDMシンボルのヘッダー部分について、前記あらかじめ設定されたウィンドウ関数の前半部分を使用することによって、前記ヘッダー部分のM個のサンプリングポイントにおいて、前記OFDMシンボルにウィンドウ処理を実行し、そして、前記ウィンドウ処理の後に得られる前記OFDMシンボルを前記計算モジュールに出力する、ように構成され、Mは、正の整数であり、
前記計算モジュールは、前記ウィンドウ処理の後に得られる前記OFDMシンボルのヘッダー部分のX個のサンプリングポイントにおいて、前のOFDMシンボルの末尾部分のX個のサンプリングポイント及び前記OFDMシンボルを加算し、そして、前記加算の後に得られる前記OFDMシンボルを出力する、ように構成され、Xは、正の整数である。
【００１２】
第1の態様の第1の可能な実装又は第1の態様の第2の可能な実装に関して、第1の態様の第3の可能な実装において、当該送信機は、記憶モジュールをさらに含み、前記記憶モジュールは、記憶媒体の中に、前記ウィンドウ処理の後に得られる前記OFDMシンボルの末尾部分のY個のサンプリングポイントを格納するように構成され、Yは、正の整数である。
【００１３】
第1の態様、第1の態様の第1の可能な実装、第1の態様の第2の可能な実装、又は第1の態様の第3の可能な実装に関して、第1の態様の第4の可能な実装において、前記パルス整形フィルタは、多相レジスタネットワークを含み、前記多相レジスタネットワークは、前記構成されるパルスの前記長さK及び形状Ptypeに基づいて決定される送信端フィルタ係数に基づいて、前記逆フーリェ変換モジュールの前記出力信号にサブキャリアレベルのフィルタリングを実行し、そして、前記パラレル―シリアル変換モジュールに、前記フィルタリングの後に得られる複数のサブキャリアを出力する、ように構成される。
【００１４】
第1の態様、第1の態様の第1の可能な実装、第1の態様の第2の可能な実装、又は第1の態様の第3の可能な実装に関して、第1の態様の第5の可能な実装において、前記パルス構成シグナリングは、前記パルスパラメータを搬送するか、又は、前記パルス構成シグナリングは、前記パルスパラメータの指示情報を搬送する。
【００１５】
第1の態様、第1の態様の第1の可能な実装、第1の態様の第2の可能な実装、第1の態様の第3の可能な実装、第1の態様の第4の可能な実装、又は第1の態様の第5の可能な実装に関して、第1の態様の第6の可能な実装において、前記パルスパラメータは、あらかじめ設定されたパラメータセットのうちのすべて又は一部を含み、前記あらかじめ設定されたパラメータセットは、前記第1のフラグビット
【００１６】
【数３】
2019512978.tif 000005
、前記第2のフラグビット
【００１７】
【数４】
2019512978.tif 000006
、第1の値N1、第2の値N2、前記構成されるパルスの前記形状Ptype、及び単一のシンボル期間に対する前記構成されるパルスの前記長さKを含み、前記第1のフラグビット
【００１８】
【数５】
2019512978.tif 000007
は、パルス整形がシンボルのヘッダーにおいて実行されるか否かを示すのに使用され、前記第2のフラグビット
【００１９】
【数６】
2019512978.tif 000008
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される。
【００２０】
第2の態様によれば、この出願は、シリアル―パラレル変換(S/P)モジュール、パルス整形フィルタ、パルス整形コントローラ、及びフーリェ変換モジュールを含む受信機であって、
前記S/Pモジュールは、シリアルに入力される通信信号を前記パルス整形フィルタへとパラレルに出力するように構成され、
前記パルス整形コントローラは、パルス構成シグナリングを受信し、前記パルス構成シグナリングに基づいて、構成されるパルスに対応するパルスパラメータを生成し、そして、前記パルス整形フィルタに前記パルスパラメータを出力する、ように構成され、
前記パルス整形フィルタは、前記S/Pモジュールの前記出力信号にサブキャリアレベルのフィルタリングを実行し、前記パルスパラメータに基づいて、前記S/Pモジュールの前記出力信号にパルス形成処理を実行し、そして、前記フーリェ変換モジュールに、処理された信号を出力する、ように構成され、
前記フーリェ変換モジュールは、前記パルス整形フィルタの前記処理された信号にフーリェ変換を実行するように構成される、受信機を提供する。
【００２１】
第2の態様に関して、第2の態様の第1の可能な実装において、前記第2のフラグビット
【００２２】
【数７】
2019512978.tif 000009
が、第2のイネーブル値に等しい場合に、前記パルス整形フィルタは、ウィンドウモジュール及び除去モジュールを含み、
前記ウィンドウモジュールは、前記S/Pモジュールの前記出力信号に対応するOFDMシンボルの末尾部分について、あらかじめ設定されたウィンドウ関数の後半部分を使用することによって、前記末尾部分のN個のサンプリングポイントにおいて、前記OFDMシンボルにウィンドウ処理を実行し、そして、前記ウィンドウ処理の後に得られる前記OFDMシンボルを前記除去モジュールに出力する、ように構成され、Nは、正の整数であり、
前記除去モジュールは、前記ウィンドウ処理の後に得られる前記OFDMシンボルのための第2の長さのサイクリックサフィックスを除去し、そして、前記サイクリックサフィックスを除去した後に得られる前記OFDMシンボルを出力する、ように構成される。
【００２３】
第2の態様の第1の可能な実装に関して、第2の態様の第2の可能な実装において、前記第1のフラグビット
【００２４】
【数８】
2019512978.tif 000010
が、第1のイネーブル値に等しい場合に、前記パルス整形フィルタは、計算モジュールをさらに含み、
前記計算モジュールは、前記S/Pモジュールの前記出力信号に対応する前記OFDMシンボルのヘッダー部分について、前記ヘッダー部分のX個のサンプリングポイントにおいて、前記OFDMシンボルから、前のOFDMシンボルの末尾部分のX個のサンプリングポイントを減算し、そして、前記ウィンドウモジュールに、前記減算の後の得られる前記OFDMシンボルを出力する、ように構成され、
前記ウィンドウモジュールは、前記減算の後に得られる前記OFDMシンボルのヘッダー部分について、前記あらかじめ設定されたウィンドウ関数の前半部分を使用することによって、前記ヘッダー部分のM個のサンプリングポイントにおいて、前記OFDMシンボルにウィンドウ処理を実行するように構成され、Mは、正の整数であり、
前記除去モジュールは、前記ウィンドウ処理の後に得られる前記OFDMシンボルのための第1の長さのサイクリックプレフィックスを除去し、そして、前記サイクリックサフィックスを除去した後に得られる前記OFDMシンボルを出力する、ように構成される。
【００２５】
第2の態様の第1の可能な実装又は第2の態様の第2の可能な実装に関して、第2の態様の第3の可能な実装において、当該受信機は、記憶モジュールをさらに含み、前記記憶モジュールは、記憶媒体の中に、前記S/Pモジュールの前記出力信号に対応する前記OFDMシンボルの末尾部分のY個のサンプリングポイントを格納するように構成され、Yは、正の整数である。
【００２６】
第2の態様、第2の態様の第1の可能な実装、第2の態様の第2の可能な実装、又は第2の態様の第3の可能な実装に関して、第2の態様の第4の可能な実装において、前記パルス整形フィルタは、多相レジスタネットワークを含み、前記多相レジスタネットワークは、前記構成されるパルスの前記長さK及び形状Ptypeに基づいて決定される受信端フィルタ係数に基づいて、前記S/Pモジュールの前記出力信号にサブキャリアレベルのフィルタリングを実行し、そして、前記フーリェ変換モジュールに、前記フィルタリングの後に得られる複数のサブキャリアを出力する、ように構成される。
【００２７】
第2の態様、第2の態様の第1の可能な実装、第2の態様の第2の可能な実装、第2の態様の第3の可能な実装、又は第2の態様の第4の可能な実装に関して、第2の態様の第5の可能な実装において、前記パルスパラメータは、あらかじめ設定されたパラメータセットのうちのすべて又は一部を含み、前記あらかじめ設定されたパラメータセットは、前記第1のフラグビット
【００２８】
【数９】
2019512978.tif 000011
、前記第2のフラグビット
【００２９】
【数１０】
2019512978.tif 000012
、第1の値N1、第2の値N2、前記構成されるパルスの前記形状Ptype、及び単一のシンボル期間に対する前記構成されるパルスの前記長さKを含み、前記第1のフラグビット
【００３０】
【数１１】
2019512978.tif 000013
は、パルス整形がシンボルのヘッダーにおいて実行されるか否かを示すのに使用され、前記第2のフラグビット
【００３１】
【数１２】
2019512978.tif 000014
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される。
【００３２】
第3の態様によれば、この出願は、送信端に適用されるパルス整形方法であって、
パルス構成シグナリングを受信し、前記パルス構成シグナリングに基づいて、構成されるパルスに対応するパルスパラメータを生成するステップと、
前記シグナリングに応答して、通信信号に、前記送信端のサブキャリアレベルのフィルタリングを実行し、前記パルスパラメータに基づいて、前記通信信号にパルス整形処理を実行するステップと、を含む、パルス整形方法を提供する。
【００３３】
第3の態様に関して、第3の態様の第1の可能な実装において、前記第1のフラグビット
【００３４】
【数１３】
2019512978.tif 000015
が、第1のイネーブル値に等しい場合に、前記パルスパラメータに基づいて、前記通信信号にパルス整形処理を実行する前記ステップは、特に、
前記通信信号に対応するOFDMシンボルに第1の長さのサイクリックプレフィックスを追加するステップと、
前記第1の長さの前記追加したサイクリックプレフィックスを有する前記OFDMシンボルのヘッダー部分について、あらかじめ設定されたウィンドウ関数の前半部分を使用することによって、前記ヘッダー部分のM個のサンプリングポイントにおいて、前記OFDMシンボルにウィンドウ処理を実行するステップであって、Mは、正の整数である、ステップと、
前記ウィンドウ処理の後に得られる前記OFDMシンボルのヘッダー部分のX個のサンプリングポイントにおいて、前のOFDMシンボルの末尾部分のX個のサンプリングポイント及び前記OFDMシンボルを加算するステップであって、Xは、正の整数である、ステップと、
前記加算の後に得られる前記OFDMシンボルに対応する信号の複数のチャネルにパラレル―シリアル変換を実行し、変換された信号を出力するステップと、を含む。
【００３５】
第3の態様又は第3の態様の第1の可能な実装に関して、第3の態様の第2の可能な実装において、前記第2のフラグビット
【００３６】
【数１４】
2019512978.tif 000016
が、第2のイネーブル値に等しい場合に、前記パルスパラメータに基づいて、前記通信信号にパルス整形処理を実行する前記ステップは、特に、
前記通信信号に対応する前記OFDMシンボルに第2の長さのサイクリックサフィックスを追加するステップと、
前記第2の長さの前記追加したサイクリックサフィックスを有する前記OFDMシンボルの末尾部分について、前記あらかじめ設定されたウィンドウ関数の後半部分を使用することによって、前記末尾部分のN個のサンプリングポイントにおいて、前記OFDMシンボルにウィンドウ処理を実行するステップであって、Nは、正の整数である、ステップと、
記憶媒体の中に、前記ウィンドウ処理の後に得られる前記OFDMシンボルの末尾部分のY個のサンプリングポイントを格納するステップと、を含み、Yは、正の整数である。
【００３７】
第3の態様に関して、第3の態様の第3の可能な実装において、前記パルスパラメータに基づいて、前記通信信号にパルス整形処理を実行する前記ステップは、特に、
前記構成されるパルスの前記長さK及び形状Ptypeに基づいて決定される送信端フィルタ係数に基づいて、前記通信信号にサブキャリアレベルのフィルタリングを実行するステップを含む。
【００３８】
第3の態様、第3の態様の第1の可能な実装、第3の態様の第2の可能な実装、又は第3の態様の第3の可能な実装に関して、第3の態様の第4の可能な実装において、前記パルス構成シグナリングに基づいて、構成されるパルスに対応するパルスパラメータを生成する前記ステップは、
前記パルス構成シグナリングによって搬送される前記パルスパラメータを取得するステップ、又は、
前記パルスパラメータに関する指示情報に基づいて、前記パルスパラメータを取得するステップであって、前記指示情報は、前記パルス構成シグナリングによって搬送される、ステップ、を含む。
【００３９】
第3の態様、第3の態様の第1の可能な実装、第3の態様の第2の可能な実装、第3の態様の第3の可能な実装、又は第3の態様の第4の可能な実装に関して、第3の態様の第5の可能な実装において、前記パルスパラメータは、あらかじめ設定されたパラメータセットのうちのすべて又は一部を含み、前記あらかじめ設定されたパラメータセットは、前記第1のフラグビット
【００４０】
【数１５】
2019512978.tif 000017
、前記第2のフラグビット
【００４１】
【数１６】
2019512978.tif 000018
、第1の値N1、第2の値N2、前記構成されるパルスの前記形状Ptype、及び単一のシンボル期間に対する前記構成されるパルスの前記長さKを含み、前記第1のフラグビット
【００４２】
【数１７】
2019512978.tif 000019
は、パルス整形がシンボルのヘッダーにおいて実行されるか否かを示すのに使用され、前記第2のフラグビット
【００４３】
【数１８】
2019512978.tif 000020
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される。
【００４４】
第4の態様によれば、この出願は、受信端に適用されるパルス整形方法であって、
パルス構成シグナリングを受信し、前記パルス構成シグナリングに基づいて、構成されるパルスに対応するパルスパラメータを生成するステップと、
前記シグナリングに応答して、通信信号に、送信端のサブキャリアレベルのフィルタリングを実行し、前記パルスパラメータに基づいて、前記通信信号にパルス整形処理を実行するステップと、を含む、パルス整形方法を提供する。
【００４５】
第4の態様に関して、第4の態様の第1の可能な実装において、前記第1のフラグビット
【００４６】
【数１９】
2019512978.tif 000021
が、第1のイネーブル値に等しい場合に、前記パルスパラメータに基づいて、前記通信信号にパルス整形処理を実行する前記ステップは、特に、
前記通信信号に対応するOFDMシンボルのヘッダー部分のX個のサンプリングポイントにおいて、前記OFDMシンボルから、前のOFDMシンボルの末尾部分のX個のサンプリングポイントを減算するステップであって、Xは、正の整数である、ステップと、
前記減算の後に得られる前記OFDMシンボルのヘッダー部分について、あらかじめ設定されたウィンドウ関数の前半部分を使用することによって、前記ヘッダー部分のM個のサンプリングポイントにおいて、前記OFDMシンボルにウィンドウ処理を実行するステップであって、Mは、正の整数である、ステップと、
前記ウィンドウ処理の後に得られる前記OFDMシンボルのための第1の長さのサイクリックプレフィックスを除去するステップと、を含む。
【００４７】
第4の態様又は第4の態様の第1の可能な実装に関して、第4の態様の第2の可能な実装において、前記第2のフラグビット
【００４８】
【数２０】
2019512978.tif 000022
が、第2のイネーブル値に等しい場合に、前記パルスパラメータに基づいて、前記通信信号にパルス整形処理を実行する前記ステップは、特に、
前記通信信号に対応する前記OFDMシンボルの末尾部分のN個のサンプリングポイントについて、前記あらかじめ設定されたウィンドウ関数の後半部分を使用することによって、前記N個のサンプリングポイントにおいて、前記OFDMシンボルにウィンドウ処理を実行するステップであって、Nは、正の整数である、ステップと、
前記ウィンドウ処理の後に得られる前記OFDMシンボルのための第2の長さのサイクリックサフィックスを除去するステップと、を含む。
【００４９】
第4の態様に関して、第4の態様の第3の可能な実装において、前記パルスパラメータに基づいて、前記通信信号にパルス整形処理を実行する前記ステップは、特に、
前記構成されるパルスの前記長さK及び形状Ptypeに基づいて決定される受信端フィルタ係数に基づいて、前記通信信号にサブキャリアレベルのフィルタリングを実行するステップを含む。
【００５０】
第4の態様、第4の態様の第1の可能な実装、第4の態様の第2の可能な実装、又は第4の態様の第3の可能な実装に関して、第4の態様の第4の可能な実装において、前記パルス構成シグナリングに基づいて、構成されるパルスに対応するパルスパラメータを生成する前記ステップは、
前記パルス構成シグナリングによって搬送される前記パルスパラメータを取得するステップ、又は、
前記パルスパラメータに関する指示情報に基づいて、前記パルスパラメータを取得するステップであって、前記指示情報は、前記パルス構成シグナリングによって搬送される、ステップ、を含む。
【００５１】
第4の態様、第4の態様の第1の可能な実装、第4の態様の第2の可能な実装、第4の態様の第3の可能な実装、又は第4の態様の第4の可能な実装に関して、第4の態様の第5の可能な実装において、前記パルスパラメータは、あらかじめ設定されたパラメータセットのうちのすべて又は一部を含み、前記あらかじめ設定されたパラメータセットは、前記第1のフラグビット
【００５２】
【数２１】
2019512978.tif 000023
、前記第2のフラグビット
【００５３】
【数２２】
2019512978.tif 000024
、第1の値N1、第2の値N2、前記構成されるパルスの前記形状Ptype、及び単一のシンボル期間に対する前記構成されるパルスの前記長さKを含み、前記第1のフラグビット
【００５４】
【数２３】
2019512978.tif 000025
は、パルス整形がシンボルのヘッダーにおいて実行されるか否かを示すのに使用され、前記第2のフラグビット
【００５５】
【数２４】
2019512978.tif 000026
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される。
【００５６】
第5の態様によれば、この出願は、通信システムであって、当該通信システムは、送信機及び受信機を含み、前記送信機は、第1の態様のいずれかの可能な実装にしたがって説明された送信機であり、前記受信機は、第2の態様のいずれかの可能な実装にしたがって説明された受信機である、通信システムを提供する。
【００５７】
この出願にしたがって提供される送信機によれば、送信機側の上位層は、複数の異なる通信シナリオに基づいて、パルス整形コントローラに、複数の異なるパルスパラメータを搬送するパルス構成シグナリングを送って、それらの複数の異なる通信シナリオについて複数の異なるパルス形状を構成するようにパルス整形フィルタを制御することが可能であり、それにより、それらの複数の異なる通信シナリオに柔軟に対応することが可能である。この出願にしたがって提供される受信機によれば、受信機側の上位層は、複数の異なる通信シナリオに基づいて、パルス整形コントローラに、複数の異なるパルスパラメータを搬送するパルス構成シグナリングを送って、それらの複数の異なる通信シナリオについて複数の異なるパルス形状を構成するように受信機の中のパルス整形フィルタを制御することが可能であり、それにより、それらの複数の異なる通信シナリオに柔軟に対応することが可能である。
【図面の簡単な説明】
【００５８】
この出願にしたがった複数の技術的解決方法をより明確に説明するために、以下の記載は、複数の実施形態を説明するのに必要となる複数の添付の図面を簡潔に説明する。
【００５９】
【図１Ａ】この出願にしたがったある1つの適用シナリオの概略図である。
【図１Ｂ】この出願にしたがった他の適用シナリオの概略図である。
【図１Ｃ】この出願にしたがったさらに別の適用シナリオの概略図である。
【図２】この出願にしたがったある1つの送信機の概略的なアーキテクチャ図である。
【図３】この出願にしたがった2つの隣接するシンボルの送信の概略図である。
【図４】この出願にしたがったある1つの送信機を実装するある1つの概略的なブロック図である。
【図５】この出願にしたがったある1つの送信機を実装する他の概略的なブロック図である。
【図６】この出願にしたがったある1つの受信機の概略的なアーキテクチャ図である。
【図７】この出願にしたがったある1つの受信機を実装するある1つの概略的なブロック図である。
【図８】この出願にしたがったある1つの受信機を実装する他の概略的なブロック図である。
【図９】この出願にしたがった送信端でのパルス整形方法の概略的なフローチャートである。
【図１０】この出願にしたがった受信端でのパルス整形方法の概略的なフローチャートである。
【発明を実施するための形態】
【００６０】
この出願の複数の実施形態において使用される用語は、この出願の特定の実施形態を説明するのに使用されているにすぎず、この出願を限定することを意図しているのではない。
【００６１】
始めに、この出願に関連する複数の可能な適用シナリオを最初に説明する。
【００６２】
図1A乃至図1Cに示されているように、複数の異なる通信シナリオは、通信信号の信号対雑音比、干渉耐性能力、及び帯域外電力漏洩等について複数の異なる要件を有している。したがって、それらの複数の異なる通信シナリオに対応するために、(例えば、矩形パルス、ガウシアンパルス、及び二乗余弦パルス等の)複数の異なるパルス形状に対応するパルス整形処理プロセスを使用する必要がある。詳細な説明は、以下のようになる。
【００６３】
図1Aに示されているある1つのシナリオにおいては、リソーススケジューリングの間に、複数の異なるユーザ機器(User  Equipment,  UE)は、複数のリソースブロックの複数の異なる位置に割り当てられ、(OFDM  CP長さ及びサブキャリア幅を含む値のグループである)複数の異なるOFDM  Numerologyを使用することによって、データを送信する。一方で、複数の異なるNumerologyに対応するあるリソースブロックの(或いは、その近傍の)サイドバンドに位置する(例えば、UE1及びUE2等の)ユーザは、通常、深刻なサブバンド間の干渉の影響を受ける。したがって、この出願にしたがった解決方法を実装する場合には、複数の異なるnumerologyに対応するユーザのデータ送信に、異なるパルス整形処理のための複数の異なるパルス形状を提供してもよく、それによって、それらの複数の異なるnumerologyに対応するリソースブロックのサイドバンドに位置するそれらのユーザは、良好な通信環境を取得することが可能である。
【００６４】
図1Bに示されているシナリオにおいては、通信システムは、チャネル品質情報に基づいて、リアルタイムで、変調及び符号化スキーム(Modulation  and  Coding  Scheme,  MCS)を調整する。より高い変調次数を有する通信信号は、信号対雑音比についてより高い要件を有するということを理解することが可能である。したがって、この出願の解決方法を実装する場合には、複数の異なるパルス形状を使用することによって、複数の異なる変調次数を有する複数の通信信号に対してパルス整形処理を実行してもよく、それによって、比較的高い変調次数を有する通信信号も、また、良好な信号対雑音比を達成することが可能である。
【００６５】
図1Cに示されているシナリオにおいては、複数の異なる物理チャネルが併存している。例えば、物理ランダムアクセスチャネル(Physical  Random  Access  Channel,  PRACH)及び物理アップリンク共有チャネル(Physical  Uplink  Shared  Channel,  PUSCH)が、併存している。PUSCHと比較して、PRACHは、比較的長いマルチパス遅延拡散をサポートする必要があるとともに、比較的高い対非同期能力を有する必要がある。ガード周波数帯域GSCは、通常、PRACHと(例えば、PUSCH等の)他の物理チャネルとの間に確保されて、チャネル間の干渉を低減する。したがって、複数の異なるパルス形状を使用することによって、PUSCH、PRACH、及び他の異なる物理チャネルに対してパルス整形処理を実行して、複数のチャネルの間の相互の干渉を低減し、ガード周波数帯域GSCのオーバーヘッドを低減し、そして、複数の異なる要件を有する複数の物理チャネルの併存を支援する。
【００６６】
加えて、通信信号に対応するサービスのタイプに基づいて、複数の異なるサービスのタイプについて、複数の異なるパルス波形を構成して、柔軟なパルス整形処理を実行することが可能であり、通信パフォーマンスについて複数の異なるサービスの要件を満足することが可能である。
【００６７】
さらに、他の通信シナリオにこの出願を適用することが可能であり、他の通信シナリオにおいては、柔軟なパルス整形処理を実行するために、パルス形状を動的に構成する必要があるということに留意すべきである。本明細書においては、詳細な説明は行われない。
【００６８】
この出願にしたがったパルス整形は、OFDMシステムにおいて以下の式を満足する通信信号s(t)に対して実行されるサブキャリアレベルのフィルタリング(サブキャリアについてのフィルタリング)を指し、又は、OFDM信号のパルス整形と称されるということに留意すべきである。
【００６９】
【数２５】
2019512978.tif 000027
上記の式において、s(t)は、OFDMシステムにおける通信信号であり、am,nは、m番目のサブキャリア及びn番目のシンボルにおけるデータであり、Tは、OFDMシンボル周期であり、Fは、OFDMサブキャリア間隔であり、そして、gtxは、送信端の波形又は(元の)送信パルスを示す。gtxに対応する受信端の波形又は(元の)受信パルスを、γrxと表してもよい。既存のCP-OFDMシステムにおいては、送信端の波形gtx及び受信端の波形γrxは、ディフォルトで矩形形状に固定される。
【００７０】
既存のOFDM通信システムにおいて、矩形のウィンドウがパルス整形のために固定的に使用されることにより引き起こされる問題を解決するために、この出願は、パルス整形のための柔軟な構成を実装するためのパルス整形方法、送信機、受信機、及びシステムを提供し、それにより、複数の異なる通信シナリオをサポートする。複数の添付の図面を参照して、以下の記載は、この出願が提供するパルス整形方法、送信機、受信機、及びシステムを詳細に説明する。
【００７１】
図2を参照して、図2は、この出願にしたがったある1つの送信機のある1つの概略的なアーキテクチャ図である。その送信機は、送信端において、通信信号に対してパルス整形処理を実行するように構成される。図2に示されているように、送信機10は、パルス整形コントローラ101、パルス整形フィルタ102、逆フーリェ変換(IFT)モジュール103、及びパラレル―シリアル変換(P/S)モジュール104を含んでもよい。
【００７２】
逆フーリェ変換モジュール103は、シリアル―パラレル変換の後に得られるベースバンド変調信号に逆フーリェ変換を実行し、そして、パルス整形フィルタ102に、変換された信号を出力する、ように構成されてもよい。
【００７３】
パルス整形コントローラ101は、パルス構成シグナリングを受信し、そのパルス構成シグナリングに基づいて、構成されるパルスに対応するパルスパラメータを生成し、そして、パルス整形フィルタ102にパルスパラメータを出力する、ように構成されてもよい。パルス整形フィルタ102は、逆フーリェ変換モジュール103の出力信号にサブキャリアレベルのフィルタリングを実行し、パルスパラメータに基づいて、逆フーリェ変換モジュール103の出力信号にパルス整形処理を実行し、そして、P/Sモジュール104に、処理された信号を出力する、ように構成されてもよい。
【００７４】
P/Sモジュール104は、パルス整形フィルタの処理された信号をシリアルに出力するように構成される。
【００７５】
図1は、送信機10の部分的なアーキテクチャを示しているにすぎないということに留意すべきである。実際の適用においては、送信機10は、信号変調及び信号送信のための他のモジュールをさらに含んでもよい。本明細書においては、詳細な説明は行われない。
【００７６】
具体的には、パルス構成シグナリングは、パルスパラメータを搬送してもよく、そのシグナリングからパルスパラメータを直接的に取得してもよい。代替的に、パルス構成シグナリングは、そのパルスパラメータに関する指示情報のみを搬送してもよく、その指示情報に基づいて、パルスパラメータを取得してもよい。例えば、そのシグナリングは、あらかじめ設定されたデータベースの中のパルスパラメータのインデックスを搬送し、前もって、そのあらかじめ設定されたデータベースをパルス整形コントローラ101に知らせる。その後、パルス整形コントローラ101は、そのインデックスに基づいて、そのあらかじめ設定されたデータベースからパルスデータを獲得してもよい。上記の例は、この出願にしたがって提供されるある1つの実装に過ぎず、限定を構成するべきではない。実際の適用においては、複数の異なる実装が存在してもよい。
【００７７】
この適用においては、パルス整形コントローラ101がパルス整形フィルタ102に出力するパルスパラメータは、あらかじめ設定されたパラメータセットのすべて又は一部であってもよい。具体的には、あらかじめ設定されたパラメータセットは、表1に示されている。
【００７８】
【表１】
2019512978.tif 000028
【００７９】
αは、二乗余弦(Raised  Cosine,  RC)フィルタのロールオフ係数を示し、NCPは、OFDMサイクリックプレフィックスの長さであり、Nsymは、単一のシンボル期間に対応するサンプリングポイントの数である。表1は、この出願の複数の実施形態のうちのある1つの実装に過ぎず、限定を構成するべきではないということに留意すべきである。実際の適用においては、複数のさらなる異なった実装が存在してもよい。
【００８０】
この適用においては、あらかじめ設定されたパラメータセットは、例えば、NCP、Nsym、又は他のパラメータ等のシステムにおいてあらかじめ定義される複数のOFDMパラメータをさらに含んでもよい。このことは、本明細書においては限定されない。
【００８１】
この適用においては、パルスパラメータのグループは、対応して、ある特定のパルス形状を表す。表1の中の"定義"において説明されているように、第1のフラグビット
【００８２】
【数２６】
2019512978.tif 000029
は、パルス整形がシンボルのヘッダーにおいて実行されるか否かを示すのに使用されてもよく、第2のフラグビット
【００８３】
【数２７】
2019512978.tif 000030
は、パルス整形がシンボルの末尾において実行されるか否かを示すのに使用されてもよく、Ptypeは、構成されるパルスの形状を示すのに使用されてもよく、Kは、単一のシンボル期間に対する構成されるパルスの長さを示すのに使用されてもよい。
【００８４】
図3において、第1の値N1及び第2の値N2の指標の意義を示すことが可能である。第1の値N1は、単一のシンボルの中に存在し、パルス整形が実行されるように構成され、大きさの重みが1に等しくないサンプリングポイントの数を示すのに使用されてもよく、第2の値N2は、単一のCP-OFDMシンボルの外側に存在するとともに、パルス整形が実行されるように構成されるサンプリングポイントの数を示すのに使用されてもよい。(シンボルi及びシンボルi＋1等の)2つの隣接するシンボルの間の重複している(overlap)サンプリングポイントの数は、2N2である。
【００８５】
いくつかの可能な実装において、第1のフラグビット
【００８６】
【数２８】
2019512978.tif 000031
が、第1のイネーブル値に等しい場合には、第1のフラグビット
【００８７】
【数２９】
2019512978.tif 000032
は、パルス整形がシンボルのヘッダーにおいて実行されるということを示し、そうでない場合には、第1のフラグビット
【００８８】
【数３０】
2019512978.tif 000033
は、パルス整形がシンボルのヘッダーにおいては実行されないということを示す。例えば、表1に示されているように、第1のフラグビット
【００８９】
【数３１】
2019512978.tif 000034
は、1ビットのフラグビットであり、第1のイネーブル値は、1である。
【００９０】
【数３２】
2019512978.tif 000035
が1に等しい場合には、第1のフラグビットは、パルス整形がシンボルのヘッダーにおいて実行されるということを示す。
【００９１】
【数３３】
2019512978.tif 000036
が0に等しい場合には、第1のフラグビットは、パルス整形がシンボルのヘッダーにおいては実行されないということを示す。上記の例は、この出願にしたがって提供されるある1つの実装に過ぎず、限定を構成するべきではない。実際の適用においては、複数のさらなる異なった実装が存在してもよい。
【００９２】
同様にして、いくつかの実装において、第2のフラグビット
【００９３】
【数３４】
2019512978.tif 000037
が、第2のイネーブル値に等しい場合には、第2のフラグビット
【００９４】
【数３５】
2019512978.tif 000038
は、パルス整形がシンボルの末尾において実行されるということを示し、そうでない場合には、第2のフラグビット
【００９５】
【数３６】
2019512978.tif 000039
は、パルス整形がシンボルの末尾においては実行されないということを示す。
【００９６】
実際の要求に応じて、第1のイネーブル値及び第2のイネーブル値を定義してもよいということに留意すべきである。このことは、本明細書においては限定されない。
【００９７】
以下の記載は、さらに、図4及び図5に基づいて、この出願にしたがって提供される送信機10のある1つの特定の実装を説明する。好ましくは、パルスの形状が(例えば、K≦2といったように)比較的短い長さとなっているある1つのシナリオに、図4に対応する送信機10を適用する。好ましくは、パルスの形状が(例えば、K＞2といったように)比較的長い長さとなっているある1つのシナリオに、図5に対応する送信機10を適用する。
【００９８】
この出願のある1つの実装において、送信機10は、図4のように示されてもよい。逆フーリェ変換モジュール103、パラレル―シリアル変換(P/S)モジュール104、及びパルス整形コントローラ101は、図2の実施形態にしたがった対応するモジュールと一致している。詳細な説明は繰り返しては行われない。図4に示されているように、パルス整形フィルタ102は、追加モジュール1021、ウィンドウモジュール1023、計算モジュール1025、及び記憶モジュール1027をさらに含んでもよい。
【００９９】
第1のフラグビット
【０１００】
【数３７】
2019512978.tif 000040
が、(例えば、"1"の)第1のイネーブル値に等しい場合に、追加モジュール1021、ウィンドウモジュール1023、及び計算モジュール1025は、一体として、逆フーリェ変換モジュール103の出力信号に対応するOFDMシンボルのヘッダーにパルス整形処理を実行するように構成されてもよい。
【０１０１】
追加モジュール1021は、OFDMシンボルに第1の長さのサイクリックプレフィックスを追加し、そして、ウィンドウモジュール1023に、追加したサイクリックプレフィックスを有するOFDMシンボルを出力する、ように構成されてもよい。
【０１０２】
例えば、図4に示されているように、第1の長さは、(NCP＋N2)に等しくてもよい。実際の適用においては、代替的に、第1の長さは、例えば、(NCP＋2N2)といったように、NCP及びN2の整数倍の総和に等しくてもよい。代替的に、第1の長さは、他の値であってもよい。このことは、本明細書においては限定されない。
【０１０３】
ウィンドウモジュール1023は、OFDMシンボルのヘッダー部分について、(例えば、Ptypeによって示されるウィンドウ関数等の)あらかじめ設定されたウィンドウ関数の前半部分を使用することによって、ヘッダー部分のM個のサンプリングポイントにおいて、OFDMシンボルにウィンドウ処理を実行し、そして、そのウィンドウ処理の後に得られるOFDMシンボルを計算モジュール1025に出力する、ように構成されてもよく、Mは、正の整数である。
【０１０４】
例えば、図4に示されているように、Mは、(N1＋N2)に等しくてもよい。例えば、代替的に、Mは、(N1＋2N2)といったように、実際の適用の要求に応じて、他の値であってもよいということに留意すべきである。このことは、本明細書においては限定されない。
【０１０５】
計算モジュール1025は、ウィンドウ処理の後に得られるOFDMシンボルのヘッダー部分のX個のサンプリングポイントにおいて、前のOFDMシンボルの末尾部分のX個のサンプリングポイント及びOFDMシンボルを加算し、そして、その加算の後に得られるOFDMシンボルを出力する、ように構成されてもよく、Xは、正の整数である。上記の加算は、時間領域において、前のOFDMシンボルの末尾部分のX個のサンプリングポイントを加算することを示しているということに留意すべきである。例えば、図4に示されているように、Xは、2N2に等しい。図3を参照すると、2N2の物理的意味は、前のOFDMシンボルの末尾部分とOFDMシンボルとの間の重複しているサンプリングポイントを、OFDMシンボルのヘッダー部分に加算することを示しているということを知ることが可能である。
【０１０６】
第2のフラグビット
【０１０７】
【数３８】
2019512978.tif 000041
が、(例えば、"1"の)第2のイネーブル値に等しい場合に、追加モジュール1021及びウィンドウモジュール1023は、さらに、一体として、逆フーリェ変換モジュール103の出力信号に対応するOFDMシンボルの末尾にパルス整形処理を実行するように構成されてもよい。
【０１０８】
追加モジュール1021は、OFDMシンボルに第2の長さのサイクリックサフィックスを追加し、そして、ウィンドウモジュール1023に、追加したサイクリックサフィックスを有するOFDMシンボルを出力する、ように構成されてもよい。
【０１０９】
例えば、図4に示されているように、第2の長さは、N2に等しくてもよい。実際の適用においては、代替的に、第2の長さは、例えば、(NCP＋2N2)といったように、NCP及びN2の整数倍の総和と等しくてもよい。代替的に、第2の長さは、他の値であってもよい。このことは、本明細書においては限定されない。
【０１１０】
ウィンドウモジュール1023は、追加モジュール1021が出力したOFDMシンボルの末尾部分について、(例えば、Ptypeによって示されるウィンドウ関数等の)あらかじめ設定されたウィンドウ関数の後半部分を使用することによって、末尾部分のN個のサンプリングポイントにおいて、OFDMシンボルにウィンドウ処理を実行し、そして、そのウィンドウ処理の後に得られるOFDMシンボルを出力する、ように構成されてもよく、Nは、正の整数である。
【０１１１】
例えば、図4に示されているように、Nは、(N1＋N2)に等しくてもよい。Nは、代替的に、例えば、(N1＋2N2)といったように、実際の適用の要求に応じて、他の値であってもよいということに留意すべきである。このことは、本明細書においては限定されない。
【０１１２】
加えて、図4に示されている送信機10の中の記憶モジュール1029は、記憶媒体の中に、ウィンドウ処理の後に得られるOFDMシンボルの末尾部分のY個のサンプリングポイントを格納するように構成されてもよい。特定の実装において、Yは、Xと等しくてもよい、すなわち、その記憶媒体の中に、前のOFDMシンボルの末尾部分のX個のサンプリングポイントを格納してもよい。実際の適用においては、Yは、代替的に、Xよりも大きくてもよい。このことは、本明細書においては限定されない。
【０１１３】
5G通信シナリオ及び将来的な通信シナリオにおいては、時分割複信(Time  Division  Duplexing,  TDD)技術によってより高い頻度で、アップリンクとダウンリンクの切り替えを実行する必要がある。切り替え周期は、通常、1ミリ秒よりも小さくなる。そのアップリンクとダウンリンクの切り替えの間に、複数の非同期システムが原因となって、時間領域において、信号漏れが発生する場合があり、その信号漏れは、アップリンクとダウンリンクとの間の相互の干渉を引き起こす。この適用においては、アップリンクフレームの最後のシンボルの末尾において、パルス整形処理を実行するか、又は、ダウンリンクフレームの最初のシンボルのヘッダーにおいて、パルス整形処理を実行する。したがって、アップリンクデータフレームとダウンリンクデータフレームとの間で円滑な切り替えを実装することが可能であり、それにより、アップリンクとダウンリンクとの間の干渉を低減することが可能である。
【０１１４】
この出願にしたがって提供される他の実装において、送信機10は、図4のように示されてもよい。逆フーリェ変換モジュール103、パラレル―シリアル変換(P/S)モジュール104、及びパルス整形コントローラ101は、図2の実施形態にしたがった対応するモジュールと一致している。詳細な説明は繰り返しては行われない。図4に示されているように、パルス整形フィルタ102は、多相レジスタネットワークを含んでもよく、その多相レジスタネットワークは、構成されるパルスの長さK及び形状Ptypeに基づいて決定される送信端フィルタ係数に基づいて、逆フーリェ変換モジュール103の出力信号にサブキャリアレベルのフィルタリングを実行し、そして、パラレル―シリアル変換モジュール104に、そのフィルタリングの後に得られる複数のサブキャリアを出力する、ように構成される。
【０１１５】
具体的には、図4に示されているように、多相レジスタネットワークの深さは、長さKと一致している。その長さK及びPtypeに基づいて、送信端フィルタ係数gtxを決定することが可能である。図4に示されている多相レジスタネットワークが受信する入力は、逆フーリェ変換モジュール103が出力するnチャネルの信号である。
【０１１６】
この出願にしたがって提供されるさらに別の実装において、送信機10は、図4の実施形態にしたがったパルス整形フィルタ及び図5の実施形態にしたがったパルス整形フィルタを含んでもよい。これらの2つのフィルタの双方は、パルス整形コントローラ101及び逆フーリェ変換モジュール103に接続されている。
【０１１７】
ある1つの可能な実装において、図4及び図5にそれぞれ対応する実施形態にしたがったパルス整形フィルタは、2つのハードウェアモジュールであってもよい。これらの2つのハードウェアモジュールは、送信機10に独立して組み込まれ、パルス整形コントローラに別個に接続される。実際の適用においては、これらの2つのハードウェアモジュールは、代替的に、パルス整形コントローラの一部としてそのパルス整形コントローラに組み込まれていてもよい。
この出願は、ハードウェアアーキテクチャの中でのこれらの2つのハードウェアモジュールのレイアウト手法を限定するものではない。
【０１１８】
他の可能な実装において、図4及び図5にそれぞれ対応する実施形態にしたがったパルス整形フィルタは、2つのソフトウェアモジュールであってもよい。これらの2つのソフトウェアモジュールは、パルス整形コントローラの中で実行されてもよく、或いは、パルス整形コントローラとの間で通信することが可能である他の処理チップにおいて実行されてもよい。この出願は、これらの2つのソフトウェアモジュールの実行環境を限定するものではない。
【０１１９】
さらに別の実装において、パルス整形コントローラ101は、さらに、長さKが、(例えば、2の)あらかじめ設定された値よりも大きいか否かを決定し、そして、長さKがそのあらかじめ設定された値よりも大きい場合に、図4の実施形態にしたがったパルス整形フィルタにパルスパラメータを出力して、通信信号にパルス整形処理を実行するように、図4の実施形態にしたがったパルス整形フィルタをトリガするか、又は、長さKがそのあらかじめ設定された値に等しいか又はより小さい場合に、図4の実施形態にしたがったパルス整形フィルタにパルスパラメータを出力して、通信信号にパルス整形処理を実行するように、図4の実施形態にしたがったパルス整形フィルタをトリガする、ように構成されてもよい。
【０１２０】
図4の実施形態において使用されるパルスパラメータは、図1に示されているあらかじめ設定されたパラメータセットのサブセット、具体的にいうと、
【０１２１】
【数３９】
2019512978.tif 000042
であってもよく、又は、図4の実施形態において使用されるパルスパラメータは、図1に示されているあらかじめ設定されたパラメータセットの他のサブセット、具体的にいうと、{K,Ptype}であってもよいということを理解することが可能である。
【０１２２】
この適用においては、パルス整形コントローラ101が受信するパルス構成シグナリングは、例えば、無線リソース制御(Radio  Resource  Control,  RRC)層等の上位層によって配送されるシグナリングであってもよい。実際の適用においては、パルス構成シグナリングは、代替的に、ユーザの操作に応答してアプリケーション層によってパルス整形コントローラ101に配送されてもよい。パルス構成シグナリングの配送元及び生成手法は、この出願においては限定されない。
【０１２３】
この出願のこの実施形態においては、送信機10の上位層は、(図1A乃至図1Cに示されている)複数の異なる通信シナリオに基づいて、パルス整形コントローラ101に、複数の異なるパルスパラメータを搬送するパルス構成シグナリングを送って、それらの複数の異なる通信シナリオについて複数の異なるパルス形状を構成するようにパルス整形フィルタ102を制御することが可能であり、それにより、複数の異なる通信シナリオに柔軟に対応することが可能である。
【０１２４】
この出願は、さらに、上記の記載内容にしたがって説明された送信機に対応する受信機を提供する。その受信機は、受信端において通信信号にパルス整形処理を実行するように構成される。図6を参照すると、図6は、この出願にしたがった受信機の概略的なアーキテクチャ図である。図6に示されているように、その受信機20は、シリアル―パラレル変換(S/P)モジュール204、パルス整形フィルタ202、パルス整形コントローラ201、及びフーリェ変換モジュール203を含んでもよい。
【０１２５】
S/Pモジュール204は、シリアルに入力される通信信号をパルス整形フィルタ202へとパラレルに出力するように構成されてもよい。
【０１２６】
パルス整形コントローラ201は、パルス構成シグナリングを受信し、そのパルス構成シグナリングに基づいて、構成されるパルスに対応するパルスパラメータを生成し、そして、パルス整形フィルタ202にパルスパラメータを出力する、ように構成されてもよい。
【０１２７】
パルス整形フィルタ202は、S/Pモジュール204の出力信号にサブキャリアレベルのフィルタリングを実行し、パルスパラメータに基づいて、S/Pモジュール204の出力信号にパルス形成処理を実行し、そして、フーリェ変換モジュール203に、処理された信号を出力する、ように構成されてもよい。
【０１２８】
フーリェ変換モジュール203は、パルス整形フィルタの処理された信号にフーリェ変換を実行するように構成されてもよい。
【０１２９】
図6は、受信機20の部分的なアーキテクチャを示しているにすぎないということに留意すべきである。実際の適用においては、受信機20は、信号変調及び信号受信のための他のモジュールをさらに含んでもよい。本明細書においては、詳細な説明は行われない。
【０１３０】
この出願においては、パルス整形コントローラ201がパルス整形フィルタ202に出力するパルスパラメータは、あらかじめ設定されたパラメータセットのすべて又は一部であってもよい。具体的には、そのあらかじめ設定されたパラメータセットについては、表1及び図2の実施形態の中の関連する説明を参照するべきである。本明細書においては、詳細な説明は繰り返しては行われない。
【０１３１】
以下の記載は、図7及び図8に基づいて、この出願にしたがって提供される受信機20のある1つの特定の実装を詳細に説明する。好ましくは、パルス形状が(例えば、K≦2といったように)比較的短い長さとなっているある1つのシナリオに、図7に対応する受信機20を適用する。好ましくは、パルス形状が(例えば、K＞2といったように)比較的長い長さとなっているある1つのシナリオに、図8に対応する受信機20を適用する。
【０１３２】
この出願のある1つの実装においては、受信機20は、図7のように示されてもよい。シリアル―パラレル変換(S/P)モジュール204、パルス整形コントローラ201、及びフーリェ変換モジュール203は、図6の実施形態にしたがった対応するモジュールと一致する。詳細な説明は繰り返して行われない。図7に示されているように、パルス整形フィルタ202は、計算モジュール2021、ウィンドウモジュール2023、除去モジュール2025、及び記憶モジュール2027をさらに含んでもよい。
【０１３３】
第1のフラグビット
【０１３４】
【数４０】
2019512978.tif 000043
が、(例えば、"1"の)第1のイネーブル値に等しい場合に、計算モジュール2021、ウィンドウモジュール2023、及び除去モジュール2025は、一体として、S/Pモジュール204の出力信号に対応するOFDMシンボルのヘッダーにパルス整形処理を実行するように構成されてもよい。
【０１３５】
計算モジュール2021は、OFDMシンボルのヘッダー部分について、ヘッダー部分のX個のサンプリングポイントにおいて、そのOFDMシンボルから、前のOFDMシンボルの末尾部分のX個のサンプリングポイントを減算し、そして、ウィンドウモジュール2023に、その減算の後の得られるOFDMシンボルを出力する、ように構成されてもよく、Xは、正の整数である。上記の減算は、時間領域において、前のOFDMシンボルの末尾部分のX個のサンプリングポイントを減算することを示しているということに留意すべきである。例えば、図7に示されているように、Yは、2N2に等しくてもよい。図3を参照すると、2N2の物理的意味は、OFDMシンボルのヘッダー部分から、前のOFDMシンボルの末尾部分とそのOFDMシンボルとの間にある重複しているサンプリングポイントを減算するということを示しているということを知ることが可能である。
【０１３６】
ウィンドウモジュール2023は、減算の後に得られるOFDMシンボルのヘッダー部分について、あらかじめ設定されたウィンドウ関数の前半部分を使用することによって、そのヘッダー部分のM個のサンプリングポイントにおいて、OFDMシンボルにウィンドウ処理を実行し、そして、除去モジュール2025に、そのウィンドウ処理の後に得られるOFDMシンボルを出力する、ように構成されてもよく、Mは、正の整数である。
【０１３７】
例えば、図7に示されているように、Mは、(N1＋N2)に等しくてもよい。Mは、代替的に、例えば、(N1＋2N2)といったように、実際の適用の要求に応じて、他の値であってもよいということに留意すべきである。このことは、本明細書においては限定されない。
【０１３８】
除去モジュール2025は、ウィンドウ処理の後に得られるOFDMシンボルのための第1の長さのサイクリックプレフィックスを除去し、そして、サイクリックプレフィックスを除去した後に得られるOFDMシンボルを出力する、ように構成されてもよい。
【０１３９】
例えば、図7に示されているように、第1の長さは、(NCP＋N2)に等しくてもよい。実際の適用においては、代替的に、第1の長さは、例えば、(NCP＋2N2)といったように、NCP及びN2の整数倍の総和に等しくてもよい。代替的に、第1の長さは、他の値であってもよい。このことは、本明細書においては限定されない。
【０１４０】
第2のフラグビット
【０１４１】
【数４１】
2019512978.tif 000044
が、(例えば、"1"の)第2のイネーブル値に等しい場合に、ウィンドウモジュール2023及び除去モジュール2025は、一体として、S/Pモジュール204の出力信号に対応するOFDMシンボルの末尾にパルス整形処理を実行するように構成されていもよい。
【０１４２】
ウィンドウモジュール2023は、OFDMシンボルの末尾部分について、あらかじめ設定されたウィンドウ関数の後半部分を使用することによって、その末尾部分のN個のサンプリングポイントにおいて、OFDMシンボルにウィンドウ処理を実行し、そして、そのウィンドウ処理の後に得られるOFDMシンボルを除去モジュールに出力する、ように構成されてもよく、Nは、正の整数である。
【０１４３】
例えば、図7に示されているように、Nは、(N1＋N2)に等しくてもよい。Nは、代替的に、例えば、(N1＋2N2)といったように、実際の適用の要求に応じて、他の値であってもよいということに留意すべきである。このことは、本明細書においては限定されない。
【０１４４】
除去モジュール2025は、ウィンドウ処理の後に得られるOFDMシンボルのための第2の長さのサイクリックサフィックスを除去し、そして、サイクリックサフィックスを除去した後に得られるOFDMシンボルを出力する、ように構成されてもよい。
【０１４５】
例えば、図7に示されているように、第2の長さは、N2に等しくてもよい。実際の適用においては、代替的に、第2の長さは、例えば、(NCP＋2N2)といったように、NCP及びN2の整数倍の総和と等しくてもよい。代替的に、第2の長さは、他の値であってもよい。このことは、本明細書においては限定されない。
【０１４６】
加えて、図7に示されている受信機20の中の記憶モジュール2027は、記憶媒体の中に、S/Pモジュール204の出力信号に対応するOFDMシンボルの末尾部分のY個のサンプリングポイントを格納するように構成されてもよく、Yは、正の整数である。特定の実装において、Yは、Xと等しくてもよい、すなわち、その記憶媒体の中に、前のOFDMシンボルの末尾部分のX個のサンプリングポイントを格納してもよい。実際の適用においては、Yは、代替的に、Xよりも大きくてもよい。このことは、本明細書においては限定されない。
【０１４７】
この出願の他の実装においては、受信機20は、図8のように示されてもよい。シリアル―パラレル変換(S/P)モジュール204、パルス整形コントローラ201、及びフーリェ変換モジュール203は、図5の実施形態にしたがった対応するモジュールと一致する。詳細な説明は繰り返して行われない。図8に示されているように、パルス整形フィルタ202は、多相レジスタネットワークを含んでもよく、その多相レジスタネットワークは、構成されるパルスの長さK及び形状Ptypeに基づいて決定される受信端フィルタ係数に基づいて、S/Pモジュール204の出力信号にサブキャリアレベルのフィルタリングを実行し、そして、フーリェ変換モジュール203に、そのフィルタリングの後に得られる複数のサブキャリアを出力する、ように構成される。
【０１４８】
具体的には、図8に示されているように、多相レジスタネットワークの深さは、長さKと一致している。その長さK及びPtypeに基づいて、送信端フィルタ係数γrxを決定することが可能である。図8に示されている多相レジスタネットワークが受信する入力は、S/Pモジュール204が出力するnチャネルの信号である。
【０１４９】
この出願のさらに別の実装において、受信機20は、図7の実施形態にしたがったパルス整形フィルタ及び図8の実施形態にしたがったパルス整形フィルタを含んでもよい。これらの2つのフィルタの双方は、パルス整形コントローラ201及び逆フーリェ変換モジュール203に接続されている。
【０１５０】
ある1つの可能な実装において、図7及び図8にそれぞれ対応する実施形態にしたがったパルス整形フィルタは、2つのハードウェアモジュールであってもよい。これらの2つのハードウェアモジュールは、送信機10に独立して組み込まれ、パルス整形コントローラに別個に接続される。実際の適用においては、これらの2つのハードウェアモジュールは、代替的に、パルス整形コントローラの一部としてそのパルス整形コントローラに組み込まれていてもよい。
この出願は、ハードウェアアーキテクチャの中でのこれらの2つのハードウェアモジュールのレイアウト手法を限定するものではない。
【０１５１】
他の可能な実装において、図7及び図8にそれぞれ対応する実施形態にしたがったパルス整形フィルタは、2つのソフトウェアモジュールであってもよい。これらの2つのソフトウェアモジュールは、パルス整形コントローラの中で実行されてもよく、或いは、パルス整形コントローラとの間で通信することが可能である他の処理チップにおいて実行されてもよい。この出願は、これらの2つのソフトウェアモジュールの実行環境を限定するものではない。
【０１５２】
さらに別の実装において、パルス整形コントローラ101は、さらに、長さKが、(例えば、2の)あらかじめ設定された値よりも大きいか否かを決定し、そして、長さKがそのあらかじめ設定された値よりも大きい場合に、図8の実施形態にしたがったパルス整形フィルタにパルスパラメータを出力して、通信信号にパルス整形処理を実行するように、図8の実施形態にしたがったパルス整形フィルタをトリガするか、又は、長さKがそのあらかじめ設定された値に等しいか又はより小さい場合に、図7の実施形態にしたがったパルス整形フィルタにパルスパラメータを出力して、通信信号にパルス整形処理を実行するように、図7の実施形態にしたがったパルス整形フィルタをトリガする、ように構成されてもよい。
【０１５３】
図7の実施形態において使用されるパルスパラメータは、図1に示されているあらかじめ設定されたパラメータセットのサブセット、具体的にいうと、
【０１５４】
【数４２】
2019512978.tif 000045
であってもよく、又は、図8の実施形態において使用されるパルスパラメータは、表1に示されているあらかじめ設定されたパラメータセットの他のサブセット、具体的にいうと、{K,Ptype}であってもよいということを理解することが可能である。
【０１５５】
パルス整形コントローラ201が受信するパルス構成シグナリングの配送元及び生成手法の詳細については、送信機10の実施形態における関連する説明を参照するべきである。このことは、この出願においては限定されない。
【０１５６】
この出願のこの実施形態においては、受信機20の上位層は、(図1A乃至図1Cに示されている)複数の異なる通信シナリオに基づいて、パルス整形コントローラ201に、複数の異なるパルスパラメータを搬送するパルス構成シグナリングを送って、それらの複数の異なる通信シナリオについて複数の異なるパルス形状を構成するようにパルス整形フィルタ202を制御することが可能であり、それにより、複数の異なる通信シナリオに柔軟に対応することが可能である。
【０１５７】
図9を参照すると、図9は、この出願にしたがったパルス整形方法の概略的なフローチャートである。その方法は、例えば、図2、図4、及び図5に示されている送信機10等の送信端に適用される。図9に示されているように、その方法は、以下のステップを含む。
【０１５８】
S101.  パルス構成シグナリングを受信し、そのパルス構成シグナリングに基づいて、構成されるパルスに対応するパルスパラメータを生成する。
【０１５９】
S103.  シグナリングに応答して、通信信号に、送信端のサブキャリアレベルのフィルタリングを実行し、パルスパラメータに基づいて、通信信号にパルス整形処理を実行する。
【０１６０】
具体的には、パルス構成シグナリングは、パルスパラメータを搬送してもよく、そのシグナリングからパルスパラメータを直接的に取得してもよい。代替的に、パルス構成シグナリングは、そのパルスパラメータに関する指示情報のみを搬送してもよく、その指示情報に基づいて、パルスパラメータを取得してもよい。例えば、そのシグナリングは、あらかじめ設定されたデータベースの中のパルスパラメータのインデックスを搬送し、前もって、そのあらかじめ設定されたデータベースを送信機10に知らせる。その後、送信機10は、そのインデックスに基づいて、そのあらかじめ設定されたデータベースからパルスデータを獲得してもよい。上記の例は、この出願のある1つの実装に過ぎず、限定を構成するべきではない。実際の適用においては、複数の異なる実装が存在してもよい。
【０１６１】
この出願においては、パルスパラメータは、あらかじめ設定されたパラメータセットのすべて又は一部であってもよい。具体的には、そのあらかじめ設定されたパラメータセットについては、表1及び図2の実施形態にしたがった関連する記載内容を参照するべきである。本明細書においては、詳細な説明は繰り返しては行われない。
【０１６２】
この適用においては、パルスパラメータのグループは、対応して、ある特定のパルス形状を表す。表1の中の"定義"において説明されているように、第1のフラグビット
【０１６３】
【数４３】
2019512978.tif 000046
は、パルス整形がシンボルのヘッダーにおいて実行されるか否かを示すのに使用されてもよく、第2のフラグビット
【０１６４】
【数４４】
2019512978.tif 000047
は、パルス整形がシンボルの末尾において実行されるか否かを示すのに使用されてもよく、第1の値N1は、単一のシンボルの中に存在し、パルス整形が実行されるように構成され、大きさの重みが1に等しくないサンプリングポイントの数を示すのに使用されてもよく、第2の値N2は、単一のシンボルの外側に存在するとともに、パルス整形が実行されるように構成されるサンプリングポイントの数を示すのに使用されてもよく、Ptypeは、構成されるパルスの形状を示すのに使用されてもよく、Kは、単一のシンボル期間に対する構成されるパルスの長さを示すのに使用されてもよい。
【０１６５】
この出願は、さらに、S103のための2つの特定の実装を提供する。
【０１６６】
この出願にしたがって提供される第1の実装において、好ましくは、パルスの形状が(例えば、K≦2といったように)比較的短い長さとなっているシナリオにこの実装を適用する。この実装は、具体的には、以下のようになる。
【０１６７】
第1のフラグビット
【０１６８】
【数４５】
2019512978.tif 000048
が、(例えば、"1"の)第1のイネーブル値に等しい場合に、通信信号に対応するOFDMシンボルのヘッダーにパルス整形処理を実行してもよい。具体的なステップは、以下のステップを含んでもよい。
【０１６９】
S1031.  OFDMシンボルに第1の長さのサイクリックプレフィックスを追加する。具体的には、第1の長さの値の詳細については、図4の実施形態にしたがった関連する説明を参照するべきである。本明細書においては、詳細な説明は繰り返しては行われない。
【０１７０】
S1032.  追加したサイクリックプレフィックスを有するOFDMシンボルのヘッダー部分について、あらかじめ設定されたウィンドウ関数の前半部分を使用することによって、そのヘッダー部分のM個のサンプリングポイントにおいて、そのOFDMシンボルにウィンドウ処理を実行し、Mは、正の整数である。具体的には、Mの値の詳細については、図4の実施形態にしたがった関連する説明を参照するべきである。本明細書においては、詳細な説明は繰り返しては行われない。
【０１７１】
S1033.  ウィンドウ処理の後に得られるOFDMシンボルのヘッダー部分のX個のサンプリングポイントにおいて、前のOFDMシンボルの末尾部分のX個のサンプリングポイント及びOFDMシンボルを加算し、そして、その加算の後に得られるOFDMシンボルを出力する。具体的には、Xの値の詳細については、図4の実施形態にしたがった関連する説明を参照するべきである。本明細書においては、詳細な説明は繰り返しては行われない。
【０１７２】
第2のフラグビット
【０１７３】
【数４６】
2019512978.tif 000049
が、(例えば、"1"の)第2のイネーブル値に等しい場合に、通信信号に対応するOFDMシンボルの末尾にパルス整形処理を実行してもよい。具体的なステップは、以下のステップを含んでもよい。
【０１７４】
S1035.  OFDMシンボルに第2の長さのサイクリックサフィックスを追加する。具体的には、第2の長さの値の詳細については、図4の実施形態にしたがった関連する説明を参照するべきである。本明細書においては、詳細な説明は繰り返しては行われない。
【０１７５】
S1036.  第2の長さの追加したサイクリックサフィックスを有するOFDMシンボルの末尾部分について、あらかじめ設定されたウィンドウ関数の後半部分を使用することによって、末尾部分のN個のサンプリングポイントにおいて、そのOFDMシンボルにウィンドウ処理を実行し、Nは、正の整数である。Nの値の詳細については、図4の実施形態にしたがった関連する説明を参照するべきである。本明細書においては、詳細な説明は繰り返しては行われない。
【０１７６】
S1037.  記憶媒体の中に、ウィンドウ処理の後に得られるOFDMシンボルの末尾部分のY個のサンプリングポイントを格納する。具体的には、Yの値の詳細については、図4の実施形態にしたがった関連する説明を参照するべきである。本明細書においては、詳細な説明は繰り返しては行われない。
【０１７７】
第1の実装に関して言及されていない内容の詳細については、図4の実施形態を参照することが可能であるということに留意すべきである。本明細書においては、詳細な説明は繰り返しては行われない。
【０１７８】
この出願にしたがって提供される第2の実装において、好ましくは、パルスの形状が(例えば、K＞2といったように)比較的長い長さとなっているシナリオにこの実装を適用する。ステップS103は、特に、構成されるパルスの長さK及び形状Ptypeに基づいて決定される送信端フィルタ係数に基づいて、通信信号にサブキャリアレベルのフィルタリングを実行するステップを含んでもよい。
【０１７９】
具体的には、送信端フィルタは、多相レジスタネットワークを含んでもよいということを図4の実施形態から知ることが可能である。その多相レジスタネットワークの深さは、長さKと一致する。長さK及びPtypeに基づいて、送信端フィルタ係数gtxを決定してもよい。
【０１８０】
さらに、この出願にしたがって提供されるパルス整形方法は、S103を実行する前に、長さKが(例えば、2である)あらかじめ設定された値よりも大きいか否かを決定するステップ、及び、長さKがそのあらかじめ設定された値と等しいか又はより小さい場合に、第1の実装にしたがって実装されるS103を実行するようにトリガするステップ、又は、長さKがそのあらかじめ設定された値よりも大きい場合に、第2の実装にしたがって実装されるS103を実行するようにトリガするステップ、をさらに含んでもよい。
【０１８１】
この適用において言及されていない記載内容については、図2乃至図4に対応する実施形態を参照することが可能であるということに留意すべきである。本明細書においては、詳細な説明は繰り返しては行われない。
【０１８２】
この出願のこの実施形態において、通信信号に送信端のサブキャリアレベルのフィルタリングを実行する場合に、パルス構成シグナリングの中で搬送されるパルスパラメータに基づいて、その通信信号にパルス整形処理を実行する。複数の異なるパルス構成パラメータは、複数の異なるパルスの形状に対応している。したがって、送信端においてパルスの形状を柔軟に構成することが可能であり、それにより、複数の異なる通信シナリオに対応することが可能である。
【０１８３】
図10を参照すると、図10は、この出願にしたがったパルス整形方法の概略的なフローチャートである。その方法は、例えば、図6及び図8に示されている受信機20等の受信端に適用される。図10に示されているように、その方法は、以下のステップを含む。
【０１８４】
S201.  パルス構成シグナリングを受信し、そのパルス構成シグナリングは、構成されるパルスに対応するパルスパラメータを搬送する。
【０１８５】
S203.  シグナリングに応答して、通信信号に、受信端のサブキャリアレベルのフィルタリングを実行する際に、パルスパラメータに基づいて、通信信号にパルス整形処理を実行する。
【０１８６】
具体的には、パルス構成シグナリングは、パルスパラメータを搬送してもよく、そのシグナリングからパルスパラメータを直接的に取得してもよい。代替的に、パルス構成シグナリングは、そのパルスパラメータに関する指示情報のみを搬送してもよく、その指示情報に基づいて、パルスパラメータを取得してもよい。例えば、そのシグナリングは、あらかじめ設定されたデータベースの中のパルスパラメータのインデックスを搬送し、前もって、そのあらかじめ設定されたデータベースを受信機20に知らせる。その後、受信機20は、そのインデックスに基づいて、そのあらかじめ設定されたデータベースからパルスデータを獲得してもよい。上記の例は、この出願にしたがって提供されるある1つの実装に過ぎず、限定を構成するべきではない。実際の適用においては、複数の異なる実装が存在してもよい。
【０１８７】
この出願においては、パルスパラメータは、あらかじめ設定されたパラメータセットのすべて又は一部であってもよい。具体的には、そのあらかじめ設定されたパラメータセットについては、表1及び図2の実施形態にしたがった関連する記載内容を参照するべきである。本明細書においては、詳細な説明は繰り返しては行われない。
【０１８８】
この適用においては、パルスパラメータのグループは、対応して、ある特定のパルス形状を表す。表1の中の"定義"において説明されているように、第1のフラグビット
【０１８９】
【数４７】
2019512978.tif 000050
は、パルス整形がシンボルのヘッダーにおいて実行されるか否かを示すのに使用されてもよく、第2のフラグビット
【０１９０】
【数４８】
2019512978.tif 000051
は、パルス整形がシンボルの末尾において実行されるか否かを示すのに使用されてもよく、第1の値N1は、単一のシンボルの中に存在し、パルス整形が実行されるように構成され、大きさの重みが1に等しくないサンプリングポイントの数を示すのに使用されてもよく、第2の値N2は、単一のシンボルの外側に存在するとともに、パルス整形が実行されるように構成されるサンプリングポイントの数を示すのに使用されてもよく、Ptypeは、構成されるパルスの形状を示すのに使用されてもよく、Kは、単一のシンボル期間に対する構成されるパルスの長さを示すのに使用されてもよい。
【０１９１】
この出願は、さらに、S203のための2つの特定の実装を提供する。
【０１９２】
この出願にしたがって提供される第1の実装において、好ましくは、パルスの形状が(例えば、K≦2といったように)比較的短い長さとなっているシナリオにこの実装を適用する。この実装は、具体的には、以下のようになる。
【０１９３】
第1のフラグビット
【０１９４】
【数４９】
2019512978.tif 000052
が、(例えば、"1"の)第1のイネーブル値に等しい場合に、通信信号に対応するOFDMシンボルのヘッダーにパルス整形処理を実行してもよい。具体的なステップは、以下のステップを含んでもよい。
【０１９５】
S2031.  通信信号に対応するOFDMシンボルのヘッダー部分のX個のサンプリングポイントにおいて、OFDMシンボルから、前のOFDMシンボルの末尾部分のX個のサンプリングポイントを減算する。具体的には、Yの値の詳細については、図7の実施形態にしたがった関連する説明を参照するべきである。本明細書においては、詳細な説明は繰り返しては行われない。
【０１９６】
S2032.  減算の後に得られるOFDMシンボルのヘッダー部分について、あらかじめ設定されたウィンドウ関数の前半部分を使用することによって、そのヘッダー部分のM個のサンプリングポイントにおいて、そのOFDMシンボルにウィンドウ処理を実行する。具体的には、Mの値の詳細については、図7の実施形態にしたがった関連する説明を参照するべきである。本明細書においては、詳細な説明は繰り返しては行われない。
【０１９７】
S2033.  ウィンドウ処理の後に得られるOFDMシンボルのための第1の長さのサイクリックプレフィックスを除去する。具体的には、第1の長さの値の詳細については、図4の実施形態にしたがった関連する説明を参照するべきである。本明細書においては、詳細な説明は繰り返しては行われない。
【０１９８】
第2のフラグビット
【０１９９】
【数５０】
2019512978.tif 000053
が、(例えば、"1"の)第2のイネーブル値に等しい場合に、通信信号に対応するOFDMシンボルの末尾にパルス整形処理を実行してもよい。具体的なステップは、以下のステップを含んでもよい。
【０２００】
S2035.  通信信号に対応するOFDMシンボルの末尾部分について、あらかじめ設定されたウィンドウ関数の後半部分を使用することによって、その末尾部分のN個のサンプリングポイントにおいて、OFDMシンボルにウィンドウ処理を実行する。具体的には、Nの値の詳細については、図8の実施形態にしたがった関連する説明を参照するべきである。本明細書においては、詳細な説明は繰り返しては行われない。
【０２０１】
S2036.  ウィンドウ処理の後に得られるOFDMシンボルのための第2の長さのサイクリックサフィックスを除去する。具体的には、第2の長さの値の詳細については、図8の実施形態にしたがった関連する説明を参照するべきである。本明細書においては、詳細な説明は繰り返しては行われない。
【０２０２】
第1の実装に関して言及されていない内容の詳細については、図7の実施形態を参照することが可能であるということに留意すべきである。本明細書においては、詳細な説明は繰り返しては行われない。
【０２０３】
この出願にしたがって提供される第2の実装において、好ましくは、パルスの形状が(例えば、K＞2といったように)比較的長い長さとなっているシナリオにこの実装を適用する。ステップS203は、特に、構成されるパルスの長さK及び形状Ptypeに基づいて決定される受信端フィルタ係数に基づいて、通信信号にサブキャリアレベルのフィルタリングを実行するステップを含んでもよい。
【０２０４】
具体的には、送信端フィルタは、多相レジスタネットワークを含んでもよいということを図8の実施形態から知ることが可能である。その多相レジスタネットワークの深さは、長さKと一致する。長さK及びPtypeに基づいて、送信端フィルタ係数γrxを決定してもよい。
【０２０５】
さらに、この出願にしたがって提供されるパルス整形方法は、S203を実行する前に、長さKが(例えば、2である)あらかじめ設定された値よりも大きいか否かを決定するステップ、及び、長さKがそのあらかじめ設定された値と等しいか又はより小さい場合に、第1の実装にしたがって実装されるS203を実行するようにトリガするステップ、又は、長さKがそのあらかじめ設定された値よりも大きい場合に、第2の実装にしたがって実装されるS203を実行するようにトリガするステップ、をさらに含んでもよい。
【０２０６】
この適用において言及されていない記載内容については、図6乃至図8に対応する実施形態を参照することが可能であるということに留意すべきである。本明細書においては、詳細な説明は繰り返しては行われない。
【０２０７】
この出願のこの実施形態において、通信信号に受信端のサブキャリアレベルのフィルタリングを実行する場合に、パルス構成シグナリングの中で搬送されるパルスパラメータに基づいて、その通信信号にパルス整形処理を実行する。複数の異なるパルス構成パラメータは、複数の異なるパルスの形状に対応している。したがって、受信端においてパルスの形状を柔軟に構成することが可能であり、それにより、複数の異なる通信シナリオに対応することが可能である。
【０２０８】
加えて、この出願は、さらに、通信システムを提供する。その通信システムは、送信機及び受信機を含む。
【０２０９】
送信機は、それぞれ、図2、図4、及び図5に対応する実施形態にしたがって説明された送信機10であってもよい。その送信機の機能及び実装については、図2、図4、及び図5の記載内容を参照するべきである。本明細書においては、詳細な説明は繰り返しては行われない。
【０２１０】
受信機は、それぞれ、図6乃至図8に対応する実施形態にしたがって説明された受信機20であってもよい。その受信機の機能及び実装については、図6乃至図8の実施形態の記載内容を参照するべきである。本明細書においては、詳細な説明は繰り返しては行われない。
【０２１１】
複数の可能な実装のうちのいくつかにおいて、送信機は、図9の実施形態にしたがって説明されたパルス整形方法を実行する通信装置であってもよく、受信機は、図10の実施形態にしたがって説明されたパルス整形方法を実行する通信装置であってもよい。
【０２１２】
結論として、この出願にしたがって提供される送信機によれば、送信機側の上位層は、複数の異なる通信シナリオに基づいて、パルス整形コントローラに、複数の異なるパルスパラメータを搬送するパルス構成シグナリングを送って、それらの複数の異なる通信シナリオについて複数の異なるパルス形状を構成するようにパルス整形フィルタを制御することが可能であり、それにより、それらの複数の異なる通信シナリオに柔軟に対応することが可能である。この出願にしたがって提供される受信機によれば、受信機側の上位層は、複数の異なる通信シナリオに基づいて、パルス整形コントローラに、複数の異なるパルスパラメータを搬送するパルス構成シグナリングを送って、それらの複数の異なる通信シナリオについて複数の異なるパルス形状を構成するように受信機の中のパルス整形フィルタを制御することが可能であり、それにより、それらの複数の異なる通信シナリオに柔軟に対応することが可能である。
【０２１３】
当業者は、関連するハードウェアに命令するコンピュータプログラムによって、上記の複数の実施形態にしたがった方法の複数のプロセスのうちのすべて又は一部を実装することが可能であるということを理解することが可能である。プログラムは、コンピュータ読み取り可能な記憶媒体に格納されてもよい。そのプログラムが実行されると、それらの複数の方法の実施形態の上記の複数のプロセスが実行される。上記の記憶媒体は、プログラムコードを格納することが可能であるROM、ランダムアクセスメモリRAM、磁気ディスク、又は光ディスク等のいずれかの媒体を含む。
【図１Ａ】
2019512978.tif 000078
【図１Ｂ】
2019512978.tif 000079
【図１Ｃ】
2019512978.tif 000080
【図２】
2019512978.tif 000081
【図３】
2019512978.tif 000082
【図４】
2019512978.tif 000083
【図５】
2019512978.tif 000084
【図６】
2019512978.tif 000085
【図７】
2019512978.tif 000086
【図８】
2019512978.tif 000087
【図９】
2019512978.tif 000088
【図１０】
2019512978.tif 000089
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
逆フーリェ変換(IFT)モジュール、パルス整形フィルタ、パルス整形コントローラ、及びパラレル―シリアル変換(P/S)モジュールを含む送信機であって、
前記逆フーリェ変換モジュールは、シリアル―パラレル変換の後に得られるベースバンド変調信号に逆フーリェ変換を実行し、そして、前記パルス整形フィルタに、変換された信号を出力する、ように構成され、
前記パルス整形コントローラは、パルス構成シグナリングを受信し、前記パルス構成シグナリングに基づいて、構成されるパルスに対応するパルスパラメータを生成し、そして、前記パルス整形フィルタに前記パルスパラメータを出力する、ように構成され、
前記パルス整形フィルタは、前記逆フーリェ変換モジュールの前記出力信号にサブキャリアレベルのフィルタリングを実行し、前記パルスパラメータに基づいて、前記逆フーリェ変換モジュールの前記出力信号にパルス整形処理を実行し、そして、前記P/Sモジュールに、処理された信号を出力する、ように構成され、
前記P/Sモジュールは、前記パルス整形フィルタの前記処理された信号をシリアルに出力するように構成される、
送信機。
【請求項２】
第2のフラグビット
【数１】
2019512978.tif 000090
が、第2のイネーブル値に等しい場合に、前記パルス整形フィルタは、追加モジュール及びウィンドウモジュールを含み、
前記追加モジュールは、前記逆フーリェ変換モジュールの前記出力信号に対応するOFDMシンボルに第2の長さのサイクリックサフィックスを追加し、そして、前記ウィンドウモジュールに、前記追加したサイクリックサフィックスを有する前記OFDMシンボルを出力する、ように構成され、
前記ウィンドウモジュールは、前記追加モジュールが出力した前記OFDMシンボルの末尾部分について、あらかじめ設定されたウィンドウ関数の後半部分を使用することによって、前記末尾部分のN個のサンプリングポイントにおいて、前記OFDMシンボルにウィンドウ処理を実行し、そして、前記ウィンドウ処理の後に得られる前記OFDMシンボルを出力する、ように構成され、Nは、正の整数である、請求項1に記載の送信機。
【請求項３】
第1のフラグビット
【数２】
2019512978.tif 000091
が第1のイネーブル値に等しい場合に、前記パルス整形フィルタは、計算モジュールをさらに含み、
前記追加モジュールは、前記逆フーリェ変換モジュールの前記出力信号に対応する前記OFDMシンボルに第1の長さのサイクリックプレフィックスを追加し、そして、前記ウィンドウモジュールに、前記追加したサイクリックプレフィックスを有する前記OFDMシンボルを出力する、ように構成され、
前記ウィンドウモジュールは、前記追加モジュールが出力した前記OFDMシンボルのヘッダー部分について、前記あらかじめ設定されたウィンドウ関数の前半部分を使用することによって、前記ヘッダー部分のM個のサンプリングポイントにおいて、前記OFDMシンボルにウィンドウ処理を実行し、そして、前記ウィンドウ処理の後に得られる前記OFDMシンボルを前記計算モジュールに出力する、ように構成され、Mは、正の整数であり、
前記計算モジュールは、前記ウィンドウ処理の後に得られる前記OFDMシンボルのヘッダー部分のX個のサンプリングポイントにおいて、前のOFDMシンボルの末尾部分のX個のサンプリングポイント及び前記OFDMシンボルを加算し、そして、前記加算の後に得られる前記OFDMシンボルを出力する、ように構成され、Xは、正の整数である、請求項2に記載の送信機。
【請求項４】
記憶モジュールをさらに含み、前記記憶モジュールは、記憶媒体の中に、前記ウィンドウ処理の後に得られる前記OFDMシンボルの末尾部分のY個のサンプリングポイントを格納するように構成され、Yは、正の整数である、請求項2又は3に記載の送信機。
【請求項５】
前記パルス整形フィルタは、多相レジスタネットワークを含み、前記多相レジスタネットワークは、前記構成されるパルスの長さK及び形状Ptypeに基づいて決定される送信端フィルタ係数に基づいて、前記逆フーリェ変換モジュールの前記出力信号にサブキャリアレベルのフィルタリングを実行し、そして、前記パラレル―シリアル変換モジュールに、前記フィルタリングの後に得られる複数のサブキャリアを出力する、ように構成される、請求項1乃至4のうちのいずれか1項に記載の送信機。
【請求項６】
前記パルス構成シグナリングは、前記パルスパラメータを搬送するか、又は、前記パルス構成シグナリングは、前記パルスパラメータの指示情報を搬送する、請求項1乃至4のうちのいずれか1項に記載の送信機。
【請求項７】
前記パルスパラメータは、あらかじめ設定されたパラメータセットのうちのすべて又は一部を含み、前記あらかじめ設定されたパラメータセットは、前記第1のフラグビット
【数３】
2019512978.tif 000092
、前記第2のフラグビット
【数４】
2019512978.tif 000093
、第1の値N1、第2の値N2、前記構成されるパルスの前記形状Ptype、及び単一のシンボル期間に対する前記構成されるパルスの前記長さKを含み、前記第1のフラグビット
【数５】
2019512978.tif 000094
は、パルス整形がシンボルのヘッダーにおいて実行されるか否かを示すのに使用され、前記第2のフラグビット
【数６】
2019512978.tif 000095
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される、請求項1乃至6のうちのいずれか1項に記載の送信機。
【請求項８】
シリアル―パラレル変換(S/P)モジュール、パルス整形フィルタ、パルス整形コントローラ、及びフーリェ変換モジュールを含む受信機であって、
前記S/Pモジュールは、シリアルに入力される通信信号を前記パルス整形フィルタへとパラレルに出力するように構成され、
前記パルス整形コントローラは、パルス構成シグナリングを受信し、前記パルス構成シグナリングに基づいて、構成されるパルスに対応するパルスパラメータを生成し、そして、前記パルス整形フィルタに前記パルスパラメータを出力する、ように構成され、
前記パルス整形フィルタは、前記S/Pモジュールの前記出力信号にサブキャリアレベルのフィルタリングを実行し、前記パルスパラメータに基づいて、前記S/Pモジュールの前記出力信号にパルス形成処理を実行し、そして、前記フーリェ変換モジュールに、処理された信号を出力する、ように構成され、
前記フーリェ変換モジュールは、前記パルス整形フィルタの前記処理された信号にフーリェ変換を実行するように構成される、
受信機。
【請求項９】
第2のフラグビット
【数７】
2019512978.tif 000096
が、第2のイネーブル値に等しい場合に、前記パルス整形フィルタは、ウィンドウモジュール及び除去モジュールを含み、
前記ウィンドウモジュールは、前記S/Pモジュールの前記出力信号に対応するOFDMシンボルの末尾部分について、あらかじめ設定されたウィンドウ関数の後半部分を使用することによって、前記末尾部分のN個のサンプリングポイントにおいて、前記OFDMシンボルにウィンドウ処理を実行し、そして、前記ウィンドウ処理の後に得られる前記OFDMシンボルを前記除去モジュールに出力する、ように構成され、Nは、正の整数であり、
前記除去モジュールは、前記ウィンドウ処理の後に得られる前記OFDMシンボルのための第2の長さのサイクリックサフィックスを除去し、そして、前記サイクリックサフィックスを除去した後に得られる前記OFDMシンボルを出力する、ように構成される、請求項8に記載の受信機。
【請求項１０】
第1のフラグビット
【数８】
2019512978.tif 000097
が、第1のイネーブル値に等しい場合に、前記パルス整形フィルタは、計算モジュールをさらに含み、
前記計算モジュールは、前記S/Pモジュールの前記出力信号に対応する前記OFDMシンボルのヘッダー部分について、前記ヘッダー部分のX個のサンプリングポイントにおいて、前記OFDMシンボルから、前のOFDMシンボルの末尾部分のX個のサンプリングポイントを減算し、そして、前記ウィンドウモジュールに、前記減算の後の得られる前記OFDMシンボルを出力する、ように構成され、
前記ウィンドウモジュールは、前記減算の後に得られる前記OFDMシンボルのヘッダー部分について、前記あらかじめ設定されたウィンドウ関数の前半部分を使用することによって、前記ヘッダー部分のM個のサンプリングポイントにおいて、前記OFDMシンボルにウィンドウ処理を実行するように構成され、Mは、正の整数であり、
前記除去モジュールは、前記ウィンドウ処理の後に得られる前記OFDMシンボルのための第1の長さのサイクリックプレフィックスを除去し、そして、前記サイクリックプレフィックスを除去した後に得られる前記OFDMシンボルを出力する、ように構成される、請求項9に記載の受信機。
【請求項１１】
記憶モジュールをさらに含み、前記記憶モジュールは、記憶媒体の中に、前記S/Pモジュールの前記出力信号に対応する前記OFDMシンボルの末尾部分のY個のサンプリングポイントを格納するように構成され、Yは、正の整数である、請求項9又は10に記載の受信機。
【請求項１２】
前記パルス整形フィルタは、多相レジスタネットワークを含み、前記多相レジスタネットワークは、前記構成されるパルスの長さK及び形状Ptypeに基づいて決定される受信端フィルタ係数に基づいて、前記S/Pモジュールの前記出力信号にサブキャリアレベルのフィルタリングを実行し、そして、前記フーリェ変換モジュールに、前記フィルタリングの後に得られる複数のサブキャリアを出力する、ように構成される、請求項8乃至11のうちのいずれか1項に記載の受信機。
【請求項１３】
前記パルスパラメータは、あらかじめ設定されたパラメータセットのうちのすべて又は一部を含み、前記あらかじめ設定されたパラメータセットは、前記第1のフラグビット
【数９】
2019512978.tif 000098
、前記第2のフラグビット
【数１０】
2019512978.tif 000099
、第1の値N1、第2の値N2、前記構成されるパルスの前記形状Ptype、及び単一のシンボル期間に対する前記構成されるパルスの前記長さKを含み、前記第1のフラグビット
【数１１】
2019512978.tif 000100
は、パルス整形がシンボルのヘッダーにおいて実行されるか否かを示すのに使用され、前記第2のフラグビット
【数１２】
2019512978.tif 000101
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される、請求項8乃至12のうちのいずれか1項に記載の受信機。
【請求項１４】
送信端に適用されるパルス整形方法であって、
パルス構成シグナリングを受信し、前記パルス構成シグナリングに基づいて、構成されるパルスに対応するパルスパラメータを生成するステップと、
前記パルス構成シグナリングに応答して、通信信号に、前記送信端のサブキャリアレベルのフィルタリングを実行し、前記パルスパラメータに基づいて、前記通信信号にパルス整形処理を実行するステップと、を含む、
方法。
【請求項１５】
第1のフラグビット
【数１３】
2019512978.tif 000102
が、第1のイネーブル値に等しい場合に、前記パルスパラメータに基づいて、前記通信信号にパルス整形処理を実行する前記ステップは、
前記通信信号に対応するOFDMシンボルに第1の長さのサイクリックプレフィックスを追加するステップと、
前記第1の長さの前記追加したサイクリックプレフィックスを有する前記OFDMシンボルのヘッダー部分について、あらかじめ設定されたウィンドウ関数の前半部分を使用することによって、前記ヘッダー部分のM個のサンプリングポイントにおいて、前記OFDMシンボルにウィンドウ処理を実行するステップであって、Mは、正の整数である、ステップと、
前記ウィンドウ処理の後に得られる前記OFDMシンボルのヘッダー部分のX個のサンプリングポイントにおいて、前のOFDMシンボルの末尾部分のX個のサンプリングポイント及び前記OFDMシンボルを加算するステップであって、Xは、正の整数である、ステップと、
前記加算の後に得られる前記OFDMシンボルに対応する信号の複数のチャネルにパラレル―シリアル変換を実行し、変換された信号を出力するステップと、を含む、請求項14に記載の方法。
【請求項１６】
第2のフラグビット
【数１４】
2019512978.tif 000103
が、第2のイネーブル値に等しい場合に、前記パルスパラメータに基づいて、前記通信信号にパルス整形処理を実行する前記ステップは、
前記通信信号に対応する前記OFDMシンボルに第2の長さのサイクリックサフィックスを追加するステップと、
前記第2の長さの前記追加したサイクリックサフィックスを有する前記OFDMシンボルの末尾部分について、前記あらかじめ設定されたウィンドウ関数の後半部分を使用することによって、前記末尾部分のN個のサンプリングポイントにおいて、前記OFDMシンボルにウィンドウ処理を実行するステップであって、Nは、正の整数である、ステップと、
記憶媒体の中に、前記ウィンドウ処理の後に得られる前記OFDMシンボルの末尾部分のY個のサンプリングポイントを格納するステップと、を含み、Yは、正の整数である、請求項14又は15に記載の方法。
【請求項１７】
前記パルスパラメータに基づいて、前記通信信号にパルス整形処理を実行する前記ステップは、
前記構成されるパルスの前記長さK及び形状Ptypeに基づいて決定される送信端フィルタ係数に基づいて、前記通信信号にサブキャリアレベルのフィルタリングを実行するステップを含む、請求項14に記載の方法。
【請求項１８】
前記パルス構成シグナリングに基づいて、構成されるパルスに対応するパルスパラメータを生成する前記ステップは、
前記パルス構成シグナリングによって搬送される前記パルスパラメータを取得するステップ、又は、
前記パルスパラメータに関する指示情報に基づいて、前記パルスパラメータを取得するステップであって、前記指示情報は、前記パルス構成シグナリングによって搬送される、ステップ、を含む、請求項14乃至17のうちのいずれか1項に記載の方法。
【請求項１９】
前記パルスパラメータは、あらかじめ設定されたパラメータセットのうちのすべて又は一部を含み、前記あらかじめ設定されたパラメータセットは、前記第1のフラグビット
【数１５】
2019512978.tif 000104
、前記第2のフラグビット
【数１６】
2019512978.tif 000105
、第1の値N1、第2の値N2、前記構成されるパルスの前記形状Ptype、及び単一のシンボル期間に対する前記構成されるパルスの前記長さKを含み、前記第1のフラグビット
【数１７】
2019512978.tif 000106
は、パルス整形がシンボルのヘッダーにおいて実行されるか否かを示すのに使用され、前記第2のフラグビット
【数１８】
2019512978.tif 000107
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される、請求項14乃至18のうちのいずれか1項に記載の方法。
【請求項２０】
受信端に適用されるパルス整形方法であって、
パルス構成シグナリングを受信し、前記パルス構成シグナリングに基づいて、構成されるパルスに対応するパルスパラメータを生成するステップと、
前記パルス構成シグナリングに応答して、通信信号に、受信端のサブキャリアレベルのフィルタリングを実行し、前記パルスパラメータに基づいて、前記通信信号にパルス整形処理を実行するステップと、を含む、
方法。
【請求項２１】
第1のフラグビット
【数１９】
2019512978.tif 000108
が、第1のイネーブル値に等しい場合に、前記パルスパラメータに基づいて、前記通信信号にパルス整形処理を実行する前記ステップは、
前記通信信号に対応するOFDMシンボルのヘッダー部分のX個のサンプリングポイントにおいて、前記OFDMシンボルから、前のOFDMシンボルの末尾部分のX個のサンプリングポイントを減算するステップであって、Xは、正の整数である、ステップと、
前記減算の後に得られる前記OFDMシンボルのヘッダー部分について、あらかじめ設定されたウィンドウ関数の前半部分を使用することによって、前記ヘッダー部分のM個のサンプリングポイントにおいて、前記OFDMシンボルにウィンドウ処理を実行するステップであって、Mは、正の整数である、ステップと、
前記ウィンドウ処理の後に得られる前記OFDMシンボルのための第1の長さのサイクリックプレフィックスを除去するステップと、を含む、請求項20に記載の方法。
【請求項２２】
第2のフラグビット
【数２０】
2019512978.tif 000109
が、第2のイネーブル値に等しい場合に、前記パルスパラメータに基づいて、前記通信信号にパルス整形処理を実行する前記ステップは、
前記通信信号に対応する前記OFDMシンボルの末尾部分のN個のサンプリングポイントについて、前記あらかじめ設定されたウィンドウ関数の後半部分を使用することによって、前記N個のサンプリングポイントにおいて、前記OFDMシンボルにウィンドウ処理を実行するステップであって、Nは、正の整数である、ステップと、
前記ウィンドウ処理の後に得られる前記OFDMシンボルのための第2の長さのサイクリックサフィックスを除去するステップと、を含む、請求項20又は21に記載の方法。
【請求項２３】
前記パルスパラメータに基づいて、前記通信信号にパルス整形処理を実行する前記ステップは、
前記構成されるパルスの長さK及び形状Ptypeに基づいて決定される受信端フィルタ係数に基づいて、前記通信信号にサブキャリアレベルのフィルタリングを実行するステップを含む、請求項20に記載の方法。
【請求項２４】
前記パルス構成シグナリングに基づいて、構成されるパルスに対応するパルスパラメータを生成する前記ステップは、
前記パルス構成シグナリングによって搬送される前記パルスパラメータを取得するステップ、又は、
前記パルスパラメータに関する指示情報に基づいて、前記パルスパラメータを取得するステップであって、前記指示情報は、前記パルス構成シグナリングによって搬送される、ステップ、を含む、請求項20乃至23のうちのいずれか1項に記載の方法。
【請求項２５】
前記パルスパラメータは、あらかじめ設定されたパラメータセットのうちのすべて又は一部を含み、前記あらかじめ設定されたパラメータセットは、前記第1のフラグビット
【数２１】
2019512978.tif 000110
、前記第2のフラグビット
【数２２】
2019512978.tif 000111
、第1の値N1、第2の値N2、前記構成されるパルスの前記形状Ptype、及び単一のシンボル期間に対する前記構成されるパルスの前記長さKを含み、前記第1のフラグビット
【数２３】
2019512978.tif 000112
は、パルス整形がシンボルのヘッダーにおいて実行されるか否かを示すのに使用され、前記第2のフラグビット
【数２４】
2019512978.tif 000113
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される、請求項20乃至24のうちのいずれか1項に記載の方法。
【請求項２６】
コンピュータプログラムコードを含むコンピュータプログラムであって、前記コンピュータプログラムコードは、通信デバイスのプロセッサで実行されると、前記通信デバイスに、請求項１４乃至２５のうちのいずれか１項に記載の方法のステップを実行させる、コンピュータプログラム。
【手続補正２】
【補正対象書類名】明細書
【補正対象項目名】全文
【補正方法】変更
【補正の内容】
【発明の詳細な説明】
【関連出願への相互参照】
【０００１】
この出願は、2016年3月31日付で中国特許庁に出願された"パルス整形方法、送信機、受信機、及びシステム"と題する中国特許出願番号第201610200453.8号に基づく優先権を主張し、その内容は、参照により全体が本明細書に取り込まれる。
【技術分野】
【０００２】
この出願は、通信分野に関し、特に、パルス整形方法、送信機、受信機、及びシステムに関する。
【背景技術】
【０００３】
直交周波数分割多重化(Orthogonal  Frequency  Division  Multiplexing,  OFDM)システムは、近年、例えば、ロングタームエボリューション(Long  Term  Evolution,  LTE)システム等の最も広く応用されている通信システムである。
【０００４】
上記のLTE通信システムと比較して、次世代の通信システムは、パフォーマンスの点で改善される必要があるのみならず、新たな無線インターフェイスの設計を使用する新たなサービスのタイプをサポートする必要もある。次世代の通信システムは、伝統的なモバイルブロードバンド(Mobile  Broadband,  MBB)サービスに加えて、さらに、マシントゥマシン(Machine-To-Machine,  M2M)通信、人対コンピュータ通信(Man-Computer  Communication,  MCC)、並びに、超高信頼性及び低遅延通信(Ultra-reliable  and  Low  Latency  Communications,  URLLC)及び大規模マシン型通信(Massive  Machine  Type  Communications,  MMTC)等の他の多様化した新たなサービスをサポートする必要がある。新たな無線インターフェイス技術は、符号化、波形、多元接続、及びフレーム構造等の複数の側面にわたる技術を含む。波形技術は、複数のサービスを柔軟にサポートする際に鍵となり、5Gシステムの新たな無線インターフェイスにとっては極めて重要である。
【０００５】
サイクリックプレフィックス(Cyclic  Prefix,  CP)に基づく直交周波数分割多重化(Orthogonal  Frequency  Division  Multiplexing,  OFDM)技術、すなわち、CP-OFDMは、良好なマルチパス干渉耐性能力を有するとともに、さまざまなMIMO技術との間で良好な互換性を有する。既存のOFDMシステムは、通常、マルチキャリア波形のためのある1つの特定の解決方法としてCP-OFDMを使用している。しかしながら、CP-OFDMシステムにおいては、ウィンドウ処理のために矩形のウィンドウが固定的に使用されている。このことは、隣接チャネル漏洩比(Adjacent  Channel  Leakage  Ratio,  ACLR)及び帯域外(out-of-band,  OOBE)電力漏洩比等のインジケータを抑圧するという明らかな欠点を有し、多様化されていないパルス形状につながる。したがって、CP-OFDMシステムは、複数の通信シナリオを柔軟にはサポートすることができない。
【発明の概要】
【０００６】
この出願は、パルス整形方法、送信機、受信機、及びシステムを提供して、パルス整形のための柔軟な構成を実装するとともに、複数の異なる通信シナリオをサポートする。
【０００７】
第1の態様によれば、この出願は、逆フーリェ変換(IFT)モジュール、パルス整形フィルタ、パルス整形コントローラ、及びパラレル―シリアル変換(P/S)モジュールを含む送信機であって、
前記逆フーリェ変換モジュールは、シリアル―パラレル変換の後に得られるベースバンド変調信号に逆フーリェ変換を実行し、そして、前記パルス整形フィルタに、変換された信号を出力する、ように構成され、
前記パルス整形コントローラは、パルス構成シグナリングを受信し、前記パルス構成シグナリングに基づいて、構成されるパルスに対応するパルスパラメータを生成し、そして、前記パルス整形フィルタに前記パルスパラメータを出力する、ように構成され、
前記パルス整形フィルタは、前記逆フーリェ変換モジュールの前記出力信号にサブキャリアレベルのフィルタリングを実行し、前記パルスパラメータに基づいて、前記逆フーリェ変換モジュールの前記出力信号にパルス整形処理を実行し、そして、前記P/Sモジュールに、処理された信号を出力する、ように構成され、
前記P/Sモジュールは、前記パルス整形フィルタの前記処理された信号をシリアルに出力するように構成される、送信機を提供する。
【０００８】
第1の態様に関して、第1の態様の第1の可能な実装において、第2のフラグビット
【０００９】
【数１】
2019512978.tif 000114
が、第2のイネーブル値に等しい場合に、前記パルス整形フィルタは、追加モジュール及びウィンドウモジュールを含み、
前記追加モジュールは、前記逆フーリェ変換モジュールの前記出力信号に対応するOFDMシンボルに第2の長さのサイクリックサフィックスを追加し、そして、前記ウィンドウモジュールに、前記追加したサイクリックサフィックスを有する前記OFDMシンボルを出力する、ように構成され、
前記ウィンドウモジュールは、前記追加モジュールが出力した前記OFDMシンボルの末尾部分について、あらかじめ設定されたウィンドウ関数の後半部分を使用することによって、前記末尾部分のN個のサンプリングポイントにおいて、前記OFDMシンボルにウィンドウ処理を実行し、そして、前記ウィンドウ処理の後に得られる前記OFDMシンボルを出力する、ように構成され、Nは、正の整数である。
【００１０】
第1の態様の第1の可能な実装に関して、第1の態様の第2の可能な実装において、第1のフラグビット
【００１１】
【数２】
2019512978.tif 000115
が第1のイネーブル値に等しい場合に、前記パルス整形フィルタは、計算モジュールをさらに含み、
前記追加モジュールは、前記逆フーリェ変換モジュールの前記出力信号に対応する前記OFDMシンボルに第1の長さのサイクリックプレフィックスを追加し、そして、前記ウィンドウモジュールに、前記追加したサイクリックプレフィックスを有する前記OFDMシンボルを出力する、ように構成され、
前記ウィンドウモジュールは、前記追加モジュールが出力した前記OFDMシンボルのヘッダー部分について、前記あらかじめ設定されたウィンドウ関数の前半部分を使用することによって、前記ヘッダー部分のM個のサンプリングポイントにおいて、前記OFDMシンボルにウィンドウ処理を実行し、そして、前記ウィンドウ処理の後に得られる前記OFDMシンボルを前記計算モジュールに出力する、ように構成され、Mは、正の整数であり、
前記計算モジュールは、前記ウィンドウ処理の後に得られる前記OFDMシンボルのヘッダー部分のX個のサンプリングポイントにおいて、前のOFDMシンボルの末尾部分のX個のサンプリングポイント及び前記OFDMシンボルを加算し、そして、前記加算の後に得られる前記OFDMシンボルを出力する、ように構成され、Xは、正の整数である。
【００１２】
第1の態様の第1の可能な実装又は第1の態様の第2の可能な実装に関して、第1の態様の第3の可能な実装において、当該送信機は、記憶モジュールをさらに含み、前記記憶モジュールは、記憶媒体の中に、前記ウィンドウ処理の後に得られる前記OFDMシンボルの末尾部分のY個のサンプリングポイントを格納するように構成され、Yは、正の整数である。
【００１３】
第1の態様、第1の態様の第1の可能な実装、第1の態様の第2の可能な実装、又は第1の態様の第3の可能な実装に関して、第1の態様の第4の可能な実装において、前記パルス整形フィルタは、多相レジスタネットワークを含み、前記多相レジスタネットワークは、前記構成されるパルスの長さK及び形状Ptypeに基づいて決定される送信端フィルタ係数に基づいて、前記逆フーリェ変換モジュールの前記出力信号にサブキャリアレベルのフィルタリングを実行し、そして、前記パラレル―シリアル変換モジュールに、前記フィルタリングの後に得られる複数のサブキャリアを出力する、ように構成される。
【００１４】
第1の態様、第1の態様の第1の可能な実装、第1の態様の第2の可能な実装、又は第1の態様の第3の可能な実装に関して、第1の態様の第5の可能な実装において、前記パルス構成シグナリングは、前記パルスパラメータを搬送するか、又は、前記パルス構成シグナリングは、前記パルスパラメータの指示情報を搬送する。
【００１５】
第1の態様、第1の態様の第1の可能な実装、第1の態様の第2の可能な実装、第1の態様の第3の可能な実装、第1の態様の第4の可能な実装、又は第1の態様の第5の可能な実装に関して、第1の態様の第6の可能な実装において、前記パルスパラメータは、あらかじめ設定されたパラメータセットのうちのすべて又は一部を含み、前記あらかじめ設定されたパラメータセットは、前記第1のフラグビット
【００１６】
【数３】
2019512978.tif 000116
、前記第2のフラグビット
【００１７】
【数４】
2019512978.tif 000117
、第1の値N1、第2の値N2、前記構成されるパルスの前記形状Ptype、及び単一のシンボル期間に対する前記構成されるパルスの前記長さKを含み、前記第1のフラグビット
【００１８】
【数５】
2019512978.tif 000118
は、パルス整形がシンボルのヘッダーにおいて実行されるか否かを示すのに使用され、前記第2のフラグビット
【００１９】
【数６】
2019512978.tif 000119
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される。
【００２０】
第2の態様によれば、この出願は、シリアル―パラレル変換(S/P)モジュール、パルス整形フィルタ、パルス整形コントローラ、及びフーリェ変換モジュールを含む受信機であって、
前記S/Pモジュールは、シリアルに入力される通信信号を前記パルス整形フィルタへとパラレルに出力するように構成され、
前記パルス整形コントローラは、パルス構成シグナリングを受信し、前記パルス構成シグナリングに基づいて、構成されるパルスに対応するパルスパラメータを生成し、そして、前記パルス整形フィルタに前記パルスパラメータを出力する、ように構成され、
前記パルス整形フィルタは、前記S/Pモジュールの前記出力信号にサブキャリアレベルのフィルタリングを実行し、前記パルスパラメータに基づいて、前記S/Pモジュールの前記出力信号にパルス形成処理を実行し、そして、前記フーリェ変換モジュールに、処理された信号を出力する、ように構成され、
前記フーリェ変換モジュールは、前記パルス整形フィルタの前記処理された信号にフーリェ変換を実行するように構成される、受信機を提供する。
【００２１】
第2の態様に関して、第2の態様の第1の可能な実装において、第2のフラグビット
【００２２】
【数７】
2019512978.tif 000120
が、第2のイネーブル値に等しい場合に、前記パルス整形フィルタは、ウィンドウモジュール及び除去モジュールを含み、
前記ウィンドウモジュールは、前記S/Pモジュールの前記出力信号に対応するOFDMシンボルの末尾部分について、あらかじめ設定されたウィンドウ関数の後半部分を使用することによって、前記末尾部分のN個のサンプリングポイントにおいて、前記OFDMシンボルにウィンドウ処理を実行し、そして、前記ウィンドウ処理の後に得られる前記OFDMシンボルを前記除去モジュールに出力する、ように構成され、Nは、正の整数であり、
前記除去モジュールは、前記ウィンドウ処理の後に得られる前記OFDMシンボルのための第2の長さのサイクリックサフィックスを除去し、そして、前記サイクリックサフィックスを除去した後に得られる前記OFDMシンボルを出力する、ように構成される。
【００２３】
第2の態様の第1の可能な実装に関して、第2の態様の第2の可能な実装において、第1のフラグビット
【００２４】
【数８】
2019512978.tif 000121
が、第1のイネーブル値に等しい場合に、前記パルス整形フィルタは、計算モジュールをさらに含み、
前記計算モジュールは、前記S/Pモジュールの前記出力信号に対応する前記OFDMシンボルのヘッダー部分について、前記ヘッダー部分のX個のサンプリングポイントにおいて、前記OFDMシンボルから、前のOFDMシンボルの末尾部分のX個のサンプリングポイントを減算し、そして、前記ウィンドウモジュールに、前記減算の後の得られる前記OFDMシンボルを出力する、ように構成され、
前記ウィンドウモジュールは、前記減算の後に得られる前記OFDMシンボルのヘッダー部分について、前記あらかじめ設定されたウィンドウ関数の前半部分を使用することによって、前記ヘッダー部分のM個のサンプリングポイントにおいて、前記OFDMシンボルにウィンドウ処理を実行するように構成され、Mは、正の整数であり、
前記除去モジュールは、前記ウィンドウ処理の後に得られる前記OFDMシンボルのための第1の長さのサイクリックプレフィックスを除去し、そして、前記サイクリックプレフィックスを除去した後に得られる前記OFDMシンボルを出力する、ように構成される。
【００２５】
第2の態様の第1の可能な実装又は第2の態様の第2の可能な実装に関して、第2の態様の第3の可能な実装において、当該受信機は、記憶モジュールをさらに含み、前記記憶モジュールは、記憶媒体の中に、前記S/Pモジュールの前記出力信号に対応する前記OFDMシンボルの末尾部分のY個のサンプリングポイントを格納するように構成され、Yは、正の整数である。
【００２６】
第2の態様、第2の態様の第1の可能な実装、第2の態様の第2の可能な実装、又は第2の態様の第3の可能な実装に関して、第2の態様の第4の可能な実装において、前記パルス整形フィルタは、多相レジスタネットワークを含み、前記多相レジスタネットワークは、前記構成されるパルスの長さK及び形状Ptypeに基づいて決定される受信端フィルタ係数に基づいて、前記S/Pモジュールの前記出力信号にサブキャリアレベルのフィルタリングを実行し、そして、前記フーリェ変換モジュールに、前記フィルタリングの後に得られる複数のサブキャリアを出力する、ように構成される。
【００２７】
第2の態様、第2の態様の第1の可能な実装、第2の態様の第2の可能な実装、第2の態様の第3の可能な実装、又は第2の態様の第4の可能な実装に関して、第2の態様の第5の可能な実装において、前記パルスパラメータは、あらかじめ設定されたパラメータセットのうちのすべて又は一部を含み、前記あらかじめ設定されたパラメータセットは、前記第1のフラグビット
【００２８】
【数９】
2019512978.tif 000122
、前記第2のフラグビット
【００２９】
【数１０】
2019512978.tif 000123
、第1の値N1、第2の値N2、前記構成されるパルスの前記形状Ptype、及び単一のシンボル期間に対する前記構成されるパルスの前記長さKを含み、前記第1のフラグビット
【００３０】
【数１１】
2019512978.tif 000124
は、パルス整形がシンボルのヘッダーにおいて実行されるか否かを示すのに使用され、前記第2のフラグビット
【００３１】
【数１２】
2019512978.tif 000125
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される。
【００３２】
第3の態様によれば、この出願は、送信端に適用されるパルス整形方法であって、
パルス構成シグナリングを受信し、前記パルス構成シグナリングに基づいて、構成されるパルスに対応するパルスパラメータを生成するステップと、
前記シグナリングに応答して、通信信号に、前記送信端のサブキャリアレベルのフィルタリングを実行し、前記パルスパラメータに基づいて、前記通信信号にパルス整形処理を実行するステップと、を含む、パルス整形方法を提供する。
【００３３】
第3の態様に関して、第3の態様の第1の可能な実装において、第1のフラグビット
【００３４】
【数１３】
2019512978.tif 000126
が、第1のイネーブル値に等しい場合に、前記パルスパラメータに基づいて、前記通信信号にパルス整形処理を実行する前記ステップは、特に、
前記通信信号に対応するOFDMシンボルに第1の長さのサイクリックプレフィックスを追加するステップと、
前記第1の長さの前記追加したサイクリックプレフィックスを有する前記OFDMシンボルのヘッダー部分について、あらかじめ設定されたウィンドウ関数の前半部分を使用することによって、前記ヘッダー部分のM個のサンプリングポイントにおいて、前記OFDMシンボルにウィンドウ処理を実行するステップであって、Mは、正の整数である、ステップと、
前記ウィンドウ処理の後に得られる前記OFDMシンボルのヘッダー部分のX個のサンプリングポイントにおいて、前のOFDMシンボルの末尾部分のX個のサンプリングポイント及び前記OFDMシンボルを加算するステップであって、Xは、正の整数である、ステップと、
前記加算の後に得られる前記OFDMシンボルに対応する信号の複数のチャネルにパラレル―シリアル変換を実行し、変換された信号を出力するステップと、を含む。
【００３５】
第3の態様又は第3の態様の第1の可能な実装に関して、第3の態様の第2の可能な実装において、第2のフラグビット
【００３６】
【数１４】
2019512978.tif 000127
が、第2のイネーブル値に等しい場合に、前記パルスパラメータに基づいて、前記通信信号にパルス整形処理を実行する前記ステップは、特に、
前記通信信号に対応する前記OFDMシンボルに第2の長さのサイクリックサフィックスを追加するステップと、
前記第2の長さの前記追加したサイクリックサフィックスを有する前記OFDMシンボルの末尾部分について、前記あらかじめ設定されたウィンドウ関数の後半部分を使用することによって、前記末尾部分のN個のサンプリングポイントにおいて、前記OFDMシンボルにウィンドウ処理を実行するステップであって、Nは、正の整数である、ステップと、
記憶媒体の中に、前記ウィンドウ処理の後に得られる前記OFDMシンボルの末尾部分のY個のサンプリングポイントを格納するステップと、を含み、Yは、正の整数である。
【００３７】
第3の態様に関して、第3の態様の第3の可能な実装において、前記パルスパラメータに基づいて、前記通信信号にパルス整形処理を実行する前記ステップは、特に、
前記構成されるパルスの長さK及び形状Ptypeに基づいて決定される送信端フィルタ係数に基づいて、前記通信信号にサブキャリアレベルのフィルタリングを実行するステップを含む。
【００３８】
第3の態様、第3の態様の第1の可能な実装、第3の態様の第2の可能な実装、又は第3の態様の第3の可能な実装に関して、第3の態様の第4の可能な実装において、前記パルス構成シグナリングに基づいて、構成されるパルスに対応するパルスパラメータを生成する前記ステップは、
前記パルス構成シグナリングによって搬送される前記パルスパラメータを取得するステップ、又は、
前記パルスパラメータに関する指示情報に基づいて、前記パルスパラメータを取得するステップであって、前記指示情報は、前記パルス構成シグナリングによって搬送される、ステップ、を含む。
【００３９】
第3の態様、第3の態様の第1の可能な実装、第3の態様の第2の可能な実装、第3の態様の第3の可能な実装、又は第3の態様の第4の可能な実装に関して、第3の態様の第5の可能な実装において、前記パルスパラメータは、あらかじめ設定されたパラメータセットのうちのすべて又は一部を含み、前記あらかじめ設定されたパラメータセットは、前記第1のフラグビット
【００４０】
【数１５】
2019512978.tif 000128
、前記第2のフラグビット
【００４１】
【数１６】
2019512978.tif 000129
、第1の値N1、第2の値N2、前記構成されるパルスの前記形状Ptype、及び単一のシンボル期間に対する前記構成されるパルスの前記長さKを含み、前記第1のフラグビット
【００４２】
【数１７】
2019512978.tif 000130
は、パルス整形がシンボルのヘッダーにおいて実行されるか否かを示すのに使用され、前記第2のフラグビット
【００４３】
【数１８】
2019512978.tif 000131
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される。
【００４４】
第4の態様によれば、この出願は、受信端に適用されるパルス整形方法であって、
パルス構成シグナリングを受信し、前記パルス構成シグナリングに基づいて、構成されるパルスに対応するパルスパラメータを生成するステップと、
前記シグナリングに応答して、通信信号に、送信端のサブキャリアレベルのフィルタリングを実行し、前記パルスパラメータに基づいて、前記通信信号にパルス整形処理を実行するステップと、を含む、パルス整形方法を提供する。
【００４５】
第4の態様に関して、第4の態様の第1の可能な実装において、第1のフラグビット
【００４６】
【数１９】
2019512978.tif 000132
が、第1のイネーブル値に等しい場合に、前記パルスパラメータに基づいて、前記通信信号にパルス整形処理を実行する前記ステップは、特に、
前記通信信号に対応するOFDMシンボルのヘッダー部分のX個のサンプリングポイントにおいて、前記OFDMシンボルから、前のOFDMシンボルの末尾部分のX個のサンプリングポイントを減算するステップであって、Xは、正の整数である、ステップと、
前記減算の後に得られる前記OFDMシンボルのヘッダー部分について、あらかじめ設定されたウィンドウ関数の前半部分を使用することによって、前記ヘッダー部分のM個のサンプリングポイントにおいて、前記OFDMシンボルにウィンドウ処理を実行するステップであって、Mは、正の整数である、ステップと、
前記ウィンドウ処理の後に得られる前記OFDMシンボルのための第1の長さのサイクリックプレフィックスを除去するステップと、を含む。
【００４７】
第4の態様又は第4の態様の第1の可能な実装に関して、第4の態様の第2の可能な実装において、第2のフラグビット
【００４８】
【数２０】
2019512978.tif 000133
が、第2のイネーブル値に等しい場合に、前記パルスパラメータに基づいて、前記通信信号にパルス整形処理を実行する前記ステップは、特に、
前記通信信号に対応する前記OFDMシンボルの末尾部分のN個のサンプリングポイントについて、前記あらかじめ設定されたウィンドウ関数の後半部分を使用することによって、前記N個のサンプリングポイントにおいて、前記OFDMシンボルにウィンドウ処理を実行するステップであって、Nは、正の整数である、ステップと、
前記ウィンドウ処理の後に得られる前記OFDMシンボルのための第2の長さのサイクリックサフィックスを除去するステップと、を含む。
【００４９】
第4の態様に関して、第4の態様の第3の可能な実装において、前記パルスパラメータに基づいて、前記通信信号にパルス整形処理を実行する前記ステップは、特に、
前記構成されるパルスの長さK及び形状Ptypeに基づいて決定される受信端フィルタ係数に基づいて、前記通信信号にサブキャリアレベルのフィルタリングを実行するステップを含む。
【００５０】
第4の態様、第4の態様の第1の可能な実装、第4の態様の第2の可能な実装、又は第4の態様の第3の可能な実装に関して、第4の態様の第4の可能な実装において、前記パルス構成シグナリングに基づいて、構成されるパルスに対応するパルスパラメータを生成する前記ステップは、
前記パルス構成シグナリングによって搬送される前記パルスパラメータを取得するステップ、又は、
前記パルスパラメータに関する指示情報に基づいて、前記パルスパラメータを取得するステップであって、前記指示情報は、前記パルス構成シグナリングによって搬送される、ステップ、を含む。
【００５１】
第4の態様、第4の態様の第1の可能な実装、第4の態様の第2の可能な実装、第4の態様の第3の可能な実装、又は第4の態様の第4の可能な実装に関して、第4の態様の第5の可能な実装において、前記パルスパラメータは、あらかじめ設定されたパラメータセットのうちのすべて又は一部を含み、前記あらかじめ設定されたパラメータセットは、前記第1のフラグビット
【００５２】
【数２１】
2019512978.tif 000134
、前記第2のフラグビット
【００５３】
【数２２】
2019512978.tif 000135
、第1の値N1、第2の値N2、前記構成されるパルスの前記形状Ptype、及び単一のシンボル期間に対する前記構成されるパルスの前記長さKを含み、前記第1のフラグビット
【００５４】
【数２３】
2019512978.tif 000136
は、パルス整形がシンボルのヘッダーにおいて実行されるか否かを示すのに使用され、前記第2のフラグビット
【００５５】
【数２４】
2019512978.tif 000137
は、パルス整形がシンボルの末尾において実行されるか否かを示すのに使用され、前記第1の値N1は、単一のシンボルの中に存在し、パルス整形が実行されるべきであり、大きさの重みが1に等しくないサンプリングポイントの数を示すのに使用され、前記第2の値N2は、単一のシンボルの外側に存在するとともに、パルス整形が実行されるべきであるサンプリングポイントの数を示すのに使用される。
【００５６】
第5の態様によれば、この出願は、通信システムであって、当該通信システムは、送信機及び受信機を含み、前記送信機は、第1の態様のいずれかの可能な実装にしたがって説明された送信機であり、前記受信機は、第2の態様のいずれかの可能な実装にしたがって説明された受信機である、通信システムを提供する。
【００５７】
この出願にしたがって提供される送信機によれば、送信機側の上位層は、複数の異なる通信シナリオに基づいて、パルス整形コントローラに、複数の異なるパルスパラメータを搬送するパルス構成シグナリングを送って、それらの複数の異なる通信シナリオについて複数の異なるパルス形状を構成するようにパルス整形フィルタを制御することが可能であり、それにより、それらの複数の異なる通信シナリオに柔軟に対応することが可能である。この出願にしたがって提供される受信機によれば、受信機側の上位層は、複数の異なる通信シナリオに基づいて、パルス整形コントローラに、複数の異なるパルスパラメータを搬送するパルス構成シグナリングを送って、それらの複数の異なる通信シナリオについて複数の異なるパルス形状を構成するように受信機の中のパルス整形フィルタを制御することが可能であり、それにより、それらの複数の異なる通信シナリオに柔軟に対応することが可能である。
【図面の簡単な説明】
【００５８】
この出願にしたがった複数の技術的解決方法をより明確に説明するために、以下の記載は、複数の実施形態を説明するのに必要となる複数の添付の図面を簡潔に説明する。
【００５９】
【図１Ａ】この出願にしたがったある1つの適用シナリオの概略図である。
【図１Ｂ】この出願にしたがった他の適用シナリオの概略図である。
【図１Ｃ】この出願にしたがったさらに別の適用シナリオの概略図である。
【図２】この出願にしたがったある1つの送信機の概略的なアーキテクチャ図である。
【図３】この出願にしたがった2つの隣接するシンボルの送信の概略図である。
【図４】この出願にしたがったある1つの送信機を実装するある1つの概略的なブロック図である。
【図５】この出願にしたがったある1つの送信機を実装する他の概略的なブロック図である。
【図６】この出願にしたがったある1つの受信機の概略的なアーキテクチャ図である。
【図７】この出願にしたがったある1つの受信機を実装するある1つの概略的なブロック図である。
【図８】この出願にしたがったある1つの受信機を実装する他の概略的なブロック図である。
【図９】この出願にしたがった送信端でのパルス整形方法の概略的なフローチャートである。
【図１０】この出願にしたがった受信端でのパルス整形方法の概略的なフローチャートである。
【発明を実施するための形態】
【００６０】
この出願の複数の実施形態において使用される用語は、この出願の特定の実施形態を説明するのに使用されているにすぎず、この出願を限定することを意図しているのではない。
【００６１】
始めに、この出願に関連する複数の可能な適用シナリオを最初に説明する。
【００６２】
図1A乃至図1Cに示されているように、複数の異なる通信シナリオは、通信信号の信号対雑音比、干渉耐性能力、及び帯域外電力漏洩等について複数の異なる要件を有している。したがって、それらの複数の異なる通信シナリオに対応するために、(例えば、矩形パルス、ガウシアンパルス、及び二乗余弦パルス等の)複数の異なるパルス形状に対応するパルス整形処理プロセスを使用する必要がある。詳細な説明は、以下のようになる。
【００６３】
図1Aに示されているある1つのシナリオにおいては、リソーススケジューリングの間に、複数の異なるユーザ機器(User  Equipment,  UE)は、複数のリソースブロックの複数の異なる位置に割り当てられ、(OFDM  CP長さ及びサブキャリア幅を含む値のグループである)複数の異なるOFDM  Numerologyを使用することによって、データを送信する。一方で、複数の異なるNumerologyに対応するあるリソースブロックの(或いは、その近傍の)サイドバンドに位置する(例えば、UE1及びUE2等の)ユーザは、通常、深刻なサブバンド間の干渉の影響を受ける。したがって、この出願にしたがった解決方法を実装する場合には、複数の異なるnumerologyに対応するユーザのデータ送信に、異なるパルス整形処理のための複数の異なるパルス形状を提供してもよく、それによって、それらの複数の異なるnumerologyに対応するリソースブロックのサイドバンドに位置するそれらのユーザは、良好な通信環境を取得することが可能である。
【００６４】
図1Bに示されているシナリオにおいては、通信システムは、チャネル品質情報に基づいて、リアルタイムで、変調及び符号化スキーム(Modulation  and  Coding  Scheme,  MCS)を調整する。より高い変調次数を有する通信信号は、信号対雑音比についてより高い要件を有するということを理解することが可能である。したがって、この出願の解決方法を実装する場合には、複数の異なるパルス形状を使用することによって、複数の異なる変調次数を有する複数の通信信号に対してパルス整形処理を実行してもよく、それによって、比較的高い変調次数を有する通信信号も、また、良好な信号対雑音比を達成することが可能である。
【００６５】
図1Cに示されているシナリオにおいては、複数の異なる物理チャネルが併存している。例えば、物理ランダムアクセスチャネル(Physical  Random  Access  Channel,  PRACH)及び物理アップリンク共有チャネル(Physical  Uplink  Shared  Channel,  PUSCH)が、併存している。PUSCHと比較して、PRACHは、比較的長いマルチパス遅延拡散をサポートする必要があるとともに、比較的高い対非同期能力を有する必要がある。ガード周波数帯域GSCは、通常、PRACHと(例えば、PUSCH等の)他の物理チャネルとの間に確保されて、チャネル間の干渉を低減する。したがって、複数の異なるパルス形状を使用することによって、PUSCH、PRACH、及び他の異なる物理チャネルに対してパルス整形処理を実行して、複数のチャネルの間の相互の干渉を低減し、ガード周波数帯域GSCのオーバーヘッドを低減し、そして、複数の異なる要件を有する複数の物理チャネルの併存を支援する。
【００６６】
加えて、通信信号に対応するサービスのタイプに基づいて、複数の異なるサービスのタイプについて、複数の異なるパルス波形を構成して、柔軟なパルス整形処理を実行することが可能であり、通信パフォーマンスについて複数の異なるサービスの要件を満足することが可能である。
【００６７】
さらに、他の通信シナリオにこの出願を適用することが可能であり、他の通信シナリオにおいては、柔軟なパルス整形処理を実行するために、パルス形状を動的に構成する必要があるということに留意すべきである。本明細書においては、詳細な説明は行われない。
【００６８】
この出願にしたがったパルス整形は、OFDMシステムにおいて以下の式を満足する通信信号s(t)に対して実行されるサブキャリアレベルのフィルタリング(サブキャリアについてのフィルタリング)を指し、又は、OFDM信号のパルス整形と称されるということに留意すべきである。
【００６９】
【数２５】
2019512978.tif 000138
上記の式において、s(t)は、OFDMシステムにおける通信信号であり、am,nは、m番目のサブキャリア及びn番目のシンボルにおけるデータであり、Tは、OFDMシンボル周期であり、Fは、OFDMサブキャリア間隔であり、そして、gtxは、送信端の波形又は(元の)送信パルスを示す。gtxに対応する受信端の波形又は(元の)受信パルスを、γrxと表してもよい。既存のCP-OFDMシステムにおいては、送信端の波形gtx及び受信端の波形γrxは、ディフォルトで矩形形状に固定される。
【００７０】
既存のOFDM通信システムにおいて、矩形のウィンドウがパルス整形のために固定的に使用されることにより引き起こされる問題を解決するために、この出願は、パルス整形のための柔軟な構成を実装するためのパルス整形方法、送信機、受信機、及びシステムを提供し、それにより、複数の異なる通信シナリオをサポートする。複数の添付の図面を参照して、以下の記載は、この出願が提供するパルス整形方法、送信機、受信機、及びシステムを詳細に説明する。
【００７１】
図2を参照して、図2は、この出願にしたがったある1つの送信機のある1つの概略的なアーキテクチャ図である。その送信機は、送信端において、通信信号に対してパルス整形処理を実行するように構成される。図2に示されているように、送信機10は、パルス整形コントローラ101、パルス整形フィルタ102、逆フーリェ変換(IFT)モジュール103、及びパラレル―シリアル変換(P/S)モジュール104を含んでもよい。
【００７２】
逆フーリェ変換モジュール103は、シリアル―パラレル変換の後に得られるベースバンド変調信号に逆フーリェ変換を実行し、そして、パルス整形フィルタ102に、変換された信号を出力する、ように構成されてもよい。
【００７３】
パルス整形コントローラ101は、パルス構成シグナリングを受信し、そのパルス構成シグナリングに基づいて、構成されるパルスに対応するパルスパラメータを生成し、そして、パルス整形フィルタ102にパルスパラメータを出力する、ように構成されてもよい。パルス整形フィルタ102は、逆フーリェ変換モジュール103の出力信号にサブキャリアレベルのフィルタリングを実行し、パルスパラメータに基づいて、逆フーリェ変換モジュール103の出力信号にパルス整形処理を実行し、そして、P/Sモジュール104に、処理された信号を出力する、ように構成されてもよい。
【００７４】
P/Sモジュール104は、パルス整形フィルタの処理された信号をシリアルに出力するように構成される。
【００７５】
図2は、送信機10の部分的なアーキテクチャを示しているにすぎないということに留意すべきである。実際の適用においては、送信機10は、信号変調及び信号送信のための他のモジュールをさらに含んでもよい。本明細書においては、詳細な説明は行われない。
【００７６】
具体的には、パルス構成シグナリングは、パルスパラメータを搬送してもよく、そのシグナリングからパルスパラメータを直接的に取得してもよい。代替的に、パルス構成シグナリングは、そのパルスパラメータに関する指示情報のみを搬送してもよく、その指示情報に基づいて、パルスパラメータを取得してもよい。例えば、そのシグナリングは、あらかじめ設定されたデータベースの中のパルスパラメータのインデックスを搬送し、前もって、そのあらかじめ設定されたデータベースをパルス整形コントローラ101に知らせる。その後、パルス整形コントローラ101は、そのインデックスに基づいて、そのあらかじめ設定されたデータベースからパルスパラメータを獲得してもよい。上記の例は、この出願にしたがって提供されるある1つの実装に過ぎず、限定を構成するべきではない。実際の適用においては、複数の異なる実装が存在してもよい。
【００７７】
この適用においては、パルス整形コントローラ101がパルス整形フィルタ102に出力するパルスパラメータは、あらかじめ設定されたパラメータセットのすべて又は一部であってもよい。具体的には、あらかじめ設定されたパラメータセットは、表1に示されている。
【００７８】
【表１】
2019512978.tif 000139
【００７９】
αは、二乗余弦(Raised  Cosine,  RC)フィルタのロールオフ係数を示し、NCPは、OFDMサイクリックプレフィックスの長さであり、Nsymは、単一のシンボル期間に対応するサンプリングポイントの数である。表1は、この出願の複数の実施形態のうちのある1つの実装に過ぎず、限定を構成するべきではないということに留意すべきである。実際の適用においては、複数のさらなる異なった実装が存在してもよい。
【００８０】
この適用においては、あらかじめ設定されたパラメータセットは、例えば、NCP、Nsym、又は他のパラメータ等のシステムにおいてあらかじめ定義される複数のOFDMパラメータをさらに含んでもよい。このことは、本明細書においては限定されない。
【００８１】
この適用においては、パルスパラメータのグループは、対応して、ある特定のパルス形状を表す。表1の中の"定義"において説明されているように、第1のフラグビット
【００８２】
【数２６】
2019512978.tif 000140
は、パルス整形がシンボルのヘッダーにおいて実行されるか否かを示すのに使用されてもよく、第2のフラグビット
【００８３】
【数２７】
2019512978.tif 000141
は、パルス整形がシンボルの末尾において実行されるか否かを示すのに使用されてもよく、Ptypeは、構成されるパルスの形状を示すのに使用されてもよく、Kは、単一のシンボル期間に対する構成されるパルスの長さを示すのに使用されてもよい。
【００８４】
図3において、第1の値N1及び第2の値N2の指標の意義を示すことが可能である。第1の値N1は、単一のシンボルの中に存在し、パルス整形が実行されるように構成され、大きさの重みが1に等しくないサンプリングポイントの数を示すのに使用されてもよく、第2の値N2は、単一のCP-OFDMシンボルの外側に存在するとともに、パルス整形が実行されるように構成されるサンプリングポイントの数を示すのに使用されてもよい。(シンボルi及びシンボルi＋1等の)2つの隣接するシンボルの間の重複している(overlap)サンプリングポイントの数は、2N2である。
【００８５】
いくつかの可能な実装において、第1のフラグビット
【００８６】
【数２８】
2019512978.tif 000142
が、第1のイネーブル値に等しい場合には、第1のフラグビット
【００８７】
【数２９】
2019512978.tif 000143
は、パルス整形がシンボルのヘッダーにおいて実行されるということを示し、第1のフラグビット
【００８８】
【数３０】
2019512978.tif 000144
が、第1のイネーブル値に等しくない場合には、第1のフラグビット
【００８９】
【数３１】
2019512978.tif 000145
は、パルス整形がシンボルのヘッダーにおいては実行されないということを示す。例えば、表1に示されているように、第1のフラグビット
【００９０】
【数３２】
2019512978.tif 000146
は、1ビットのフラグビットであり、第1のイネーブル値は、1である。
【００９１】
【数３３】
2019512978.tif 000147
が1に等しい場合には、第1のフラグビットは、パルス整形がシンボルのヘッダーにおいて実行されるということを示す。
【００９２】
【数３４】
2019512978.tif 000148
が0に等しい場合には、第1のフラグビットは、パルス整形がシンボルのヘッダーにおいては実行されないということを示す。上記の例は、この出願にしたがって提供されるある1つの実装に過ぎず、限定を構成するべきではない。実際の適用においては、複数のさらなる異なった実装が存在してもよい。
【００９３】
同様にして、いくつかの実装において、第2のフラグビット
【００９４】
【数３５】
2019512978.tif 000149
が、第2のイネーブル値に等しい場合には、第2のフラグビット
【００９５】
【数３６】
2019512978.tif 000150
は、パルス整形がシンボルの末尾において実行されるということを示し、2のフラグビット
【００９６】
【数３７】
2019512978.tif 000151
が、第2のイネーブル値に等しくない場合には、第2のフラグビット
【００９７】
【数３８】
2019512978.tif 000152
は、パルス整形がシンボルの末尾においては実行されないということを示す。
【００９８】
実際の要求に応じて、第1のイネーブル値及び第2のイネーブル値を定義してもよいということに留意すべきである。このことは、本明細書においては限定されない。
【００９９】
以下の記載は、さらに、図4及び図5に基づいて、この出願にしたがって提供される送信機10のある1つの特定の実装を説明する。好ましくは、パルスの形状が(例えば、K≦2といったように)比較的短い長さとなっているある1つのシナリオに、図4に対応する送信機10を適用する。好ましくは、パルスの形状が(例えば、K＞2といったように)比較的長い長さとなっているある1つのシナリオに、図5に対応する送信機10を適用する。
【０１００】
この出願のある1つの実装において、送信機10は、図4のように示されてもよい。逆フーリェ変換モジュール103、パラレル―シリアル変換(P/S)モジュール104、及びパルス整形コントローラ101は、図2の実施形態にしたがった対応するモジュールと一致している。詳細な説明は繰り返しては行われない。図4に示されているように、パルス整形フィルタ102は、追加モジュール1021、ウィンドウモジュール1023、計算モジュール1025、及び記憶モジュール1027をさらに含んでもよい。
【０１０１】
第1のフラグビット
【０１０２】
【数３９】
2019512978.tif 000153
が、(例えば、"1"の)第1のイネーブル値に等しい場合に、追加モジュール1021、ウィンドウモジュール1023、及び計算モジュール1025は、一体として、逆フーリェ変換モジュール103の出力信号に対応するOFDMシンボルのヘッダーにパルス整形処理を実行するように構成されてもよい。
【０１０３】
追加モジュール1021は、OFDMシンボルに第1の長さのサイクリックプレフィックスを追加し、そして、ウィンドウモジュール1023に、追加したサイクリックプレフィックスを有するOFDMシンボルを出力する、ように構成されてもよい。
【０１０４】
例えば、図4に示されているように、第1の長さは、(NCP＋N2)に等しくてもよい。実際の適用においては、代替的に、第1の長さは、例えば、(NCP＋2N2)といったように、NCP及びN2の整数倍の総和に等しくてもよい。代替的に、第1の長さは、他の値であってもよい。このことは、本明細書においては限定されない。
【０１０５】
ウィンドウモジュール1023は、OFDMシンボルのヘッダー部分について、(例えば、Ptypeによって示されるウィンドウ関数等の)あらかじめ設定されたウィンドウ関数の前半部分を使用することによって、ヘッダー部分のM個のサンプリングポイントにおいて、OFDMシンボルにウィンドウ処理を実行し、そして、そのウィンドウ処理の後に得られるOFDMシンボルを計算モジュール1025に出力する、ように構成されてもよく、Mは、正の整数である。
【０１０６】
例えば、図4に示されているように、Mは、(N1＋N2)に等しくてもよい。例えば、代替的に、Mは、(N1＋2N2)といったように、実際の適用の要求に応じて、他の値であってもよいということに留意すべきである。このことは、本明細書においては限定されない。
【０１０７】
計算モジュール1025は、ウィンドウ処理の後に得られるOFDMシンボルのヘッダー部分のX個のサンプリングポイントにおいて、前のOFDMシンボルの末尾部分のX個のサンプリングポイント及びOFDMシンボルを加算し、そして、その加算の後に得られるOFDMシンボルを出力する、ように構成されてもよく、Xは、正の整数である。上記の加算は、時間領域において、前のOFDMシンボルの末尾部分のX個のサンプリングポイントを加算することを示しているということに留意すべきである。例えば、図4に示されているように、Xは、2N2に等しい。図3を参照すると、2N2の物理的意味は、前のOFDMシンボルの末尾部分とOFDMシンボルとの間の重複しているサンプリングポイントを、OFDMシンボルのヘッダー部分に加算することを示しているということを知ることが可能である。
【０１０８】
第2のフラグビット
【０１０９】
【数４０】
2019512978.tif 000154
が、(例えば、"1"の)第2のイネーブル値に等しい場合に、追加モジュール1021及びウィンドウモジュール1023は、さらに、一体として、逆フーリェ変換モジュール103の出力信号に対応するOFDMシンボルの末尾にパルス整形処理を実行するように構成されてもよい。
【０１１０】
追加モジュール1021は、OFDMシンボルに第2の長さのサイクリックサフィックスを追加し、そして、ウィンドウモジュール1023に、追加したサイクリックサフィックスを有するOFDMシンボルを出力する、ように構成されてもよい。
【０１１１】
例えば、図4に示されているように、第2の長さは、N2に等しくてもよい。実際の適用においては、代替的に、第2の長さは、例えば、(NCP＋2N2)といったように、NCP及びN2の整数倍の総和と等しくてもよい。代替的に、第2の長さは、他の値であってもよい。このことは、本明細書においては限定されない。
【０１１２】
ウィンドウモジュール1023は、追加モジュール1021が出力したOFDMシンボルの末尾部分について、(例えば、Ptypeによって示されるウィンドウ関数等の)あらかじめ設定されたウィンドウ関数の後半部分を使用することによって、末尾部分のN個のサンプリングポイントにおいて、OFDMシンボルにウィンドウ処理を実行し、そして、そのウィンドウ処理の後に得られるOFDMシンボルを出力する、ように構成されてもよく、Nは、正の整数である。
【０１１３】
例えば、図4に示されているように、Nは、(N1＋N2)に等しくてもよい。Nは、代替的に、例えば、(N1＋2N2)といったように、実際の適用の要求に応じて、他の値であってもよいということに留意すべきである。このことは、本明細書においては限定されない。
【０１１４】
加えて、図4に示されている送信機10の中の記憶モジュール1027は、記憶媒体の中に、ウィンドウ処理の後に得られるOFDMシンボルの末尾部分のY個のサンプリングポイントを格納するように構成されてもよい。特定の実装において、Yは、Xと等しくてもよい、すなわち、その記憶媒体の中に、前のOFDMシンボルの末尾部分のX個のサンプリングポイントを格納してもよい。実際の適用においては、Yは、代替的に、Xよりも大きくてもよい。このことは、本明細書においては限定されない。
【０１１５】
5G通信シナリオ及び将来的な通信シナリオにおいては、時分割複信(Time  Division  Duplex,  TDD)技術によってより高い頻度で、アップリンクとダウンリンクの切り替えを実行する必要がある。切り替え周期は、通常、1ミリ秒よりも小さくなる。そのアップリンクとダウンリンクの切り替えの間に、複数の非同期システムが原因となって、時間領域において、信号漏れが発生する場合があり、その信号漏れは、アップリンクとダウンリンクとの間の相互の干渉を引き起こす。この適用においては、アップリンクフレームの最後のシンボルの末尾において、パルス整形処理を実行するか、又は、ダウンリンクフレームの最初のシンボルのヘッダーにおいて、パルス整形処理を実行する。したがって、アップリンクデータフレームとダウンリンクデータフレームとの間で円滑な切り替えを実装することが可能であり、それにより、アップリンクとダウンリンクとの間の干渉を低減することが可能である。
【０１１６】
この出願にしたがって提供される他の実装において、送信機10は、図5のように示されてもよい。逆フーリェ変換モジュール103、パラレル―シリアル変換(P/S)モジュール104、及びパルス整形コントローラ101は、図2の実施形態にしたがった対応するモジュールと一致している。詳細な説明は繰り返しては行われない。図5に示されているように、パルス整形フィルタ102は、多相レジスタネットワークを含んでもよく、その多相レジスタネットワークは、構成されるパルスの長さK及び形状Ptypeに基づいて決定される送信端フィルタ係数に基づいて、逆フーリェ変換モジュール103の出力信号にサブキャリアレベルのフィルタリングを実行し、そして、パラレル―シリアル変換モジュール104に、そのフィルタリングの後に得られる複数のサブキャリアを出力する、ように構成される。
【０１１７】
具体的には、図5に示されているように、多相レジスタネットワークの深さは、長さKと一致している。その長さK及びPtypeに基づいて、送信端フィルタ係数gtxを決定することが可能である。図5に示されている多相レジスタネットワークが受信する入力は、逆フーリェ変換モジュール103が出力するnチャネルの信号である。
【０１１８】
この出願にしたがって提供されるさらに別の実装において、送信機10は、図4の実施形態にしたがったパルス整形フィルタ及び図5の実施形態にしたがったパルス整形フィルタを含んでもよい。これらの2つのフィルタの双方は、パルス整形コントローラ101及び逆フーリェ変換モジュール103に接続されている。
【０１１９】
ある1つの可能な実装において、図4及び図5にそれぞれ対応する実施形態にしたがったパルス整形フィルタは、2つのハードウェアモジュールであってもよい。これらの2つのハードウェアモジュールは、送信機10に独立して組み込まれ、パルス整形コントローラに別個に接続される。実際の適用においては、これらの2つのハードウェアモジュールは、代替的に、パルス整形コントローラの一部としてそのパルス整形コントローラに組み込まれていてもよい。
この出願は、ハードウェアアーキテクチャの中でのこれらの2つのハードウェアモジュールのレイアウト手法を限定するものではない。
【０１２０】
他の可能な実装において、図4及び図5にそれぞれ対応する実施形態にしたがったパルス整形フィルタは、2つのソフトウェアモジュールであってもよい。これらの2つのソフトウェアモジュールは、パルス整形コントローラの中で実行されてもよく、或いは、パルス整形コントローラとの間で通信することが可能である他の処理チップにおいて実行されてもよい。この出願は、これらの2つのソフトウェアモジュールの実行環境を限定するものではない。
【０１２１】
さらに別の実装において、パルス整形コントローラ101は、さらに、長さKが、(例えば、2の)あらかじめ設定された値よりも大きいか否かを決定し、そして、長さKがそのあらかじめ設定された値よりも大きい場合に、図5の実施形態にしたがったパルス整形フィルタにパルスパラメータを出力して、通信信号にパルス整形処理を実行するように、図5の実施形態にしたがったパルス整形フィルタをトリガするか、又は、長さKがそのあらかじめ設定された値に等しいか又はより小さい場合に、図4の実施形態にしたがったパルス整形フィルタにパルスパラメータを出力して、通信信号にパルス整形処理を実行するように、図4の実施形態にしたがったパルス整形フィルタをトリガする、ように構成されてもよい。
【０１２２】
図4の実施形態において使用されるパルスパラメータは、表1に示されているあらかじめ設定されたパラメータセットのサブセット、具体的にいうと、
【０１２３】
【数４１】
2019512978.tif 000155
であってもよく、又は、図4の実施形態において使用されるパルスパラメータは、表1に示されているあらかじめ設定されたパラメータセットの他のサブセット、具体的にいうと、{K,Ptype}であってもよいということを理解することが可能である。
【０１２４】
この適用においては、パルス整形コントローラ101が受信するパルス構成シグナリングは、例えば、無線リソース制御(Radio  Resource  Control,  RRC)層等の上位層によって配送されるシグナリングであってもよい。実際の適用においては、パルス構成シグナリングは、代替的に、ユーザの操作に応答してアプリケーション層によってパルス整形コントローラ101に配送されてもよい。パルス構成シグナリングの配送元及び生成手法は、この出願においては限定されない。
【０１２５】
この出願のこの実施形態においては、送信機10の上位層は、(図1A乃至図1Cに示されている)複数の異なる通信シナリオに基づいて、パルス整形コントローラ101に、複数の異なるパルスパラメータを搬送するパルス構成シグナリングを送って、それらの複数の異なる通信シナリオについて複数の異なるパルス形状を構成するようにパルス整形フィルタ102を制御することが可能であり、それにより、複数の異なる通信シナリオに柔軟に対応することが可能である。
【０１２６】
この出願は、さらに、上記の記載内容にしたがって説明された送信機に対応する受信機を提供する。その受信機は、受信端において通信信号にパルス整形処理を実行するように構成される。図6を参照すると、図6は、この出願にしたがった受信機の概略的なアーキテクチャ図である。図6に示されているように、その受信機20は、シリアル―パラレル変換(S/P)モジュール204、パルス整形フィルタ202、パルス整形コントローラ201、及びフーリェ変換モジュール203を含んでもよい。
【０１２７】
S/Pモジュール204は、シリアルに入力される通信信号をパルス整形フィルタ202へとパラレルに出力するように構成されてもよい。
【０１２８】
パルス整形コントローラ201は、パルス構成シグナリングを受信し、そのパルス構成シグナリングに基づいて、構成されるパルスに対応するパルスパラメータを生成し、そして、パルス整形フィルタ202にパルスパラメータを出力する、ように構成されてもよい。
【０１２９】
パルス整形フィルタ202は、S/Pモジュール204の出力信号にサブキャリアレベルのフィルタリングを実行し、パルスパラメータに基づいて、S/Pモジュール204の出力信号にパルス形成処理を実行し、そして、フーリェ変換モジュール203に、処理された信号を出力する、ように構成されてもよい。
【０１３０】
フーリェ変換モジュール203は、パルス整形フィルタの処理された信号にフーリェ変換を実行するように構成されてもよい。
【０１３１】
図6は、受信機20の部分的なアーキテクチャを示しているにすぎないということに留意すべきである。実際の適用においては、受信機20は、信号変調及び信号受信のための他のモジュールをさらに含んでもよい。本明細書においては、詳細な説明は行われない。
【０１３２】
この出願においては、パルス整形コントローラ201がパルス整形フィルタ202に出力するパルスパラメータは、あらかじめ設定されたパラメータセットのすべて又は一部であってもよい。具体的には、そのあらかじめ設定されたパラメータセットについては、表1及び図2の実施形態の中の関連する説明を参照するべきである。本明細書においては、詳細な説明は繰り返しては行われない。
【０１３３】
以下の記載は、図7及び図8に基づいて、この出願にしたがって提供される受信機20のある1つの特定の実装を詳細に説明する。好ましくは、パルス形状が(例えば、K≦2といったように)比較的短い長さとなっているある1つのシナリオに、図7に対応する受信機20を適用する。好ましくは、パルス形状が(例えば、K＞2といったように)比較的長い長さとなっているある1つのシナリオに、図8に対応する受信機20を適用する。
【０１３４】
この出願のある1つの実装においては、受信機20は、図7のように示されてもよい。シリアル―パラレル変換(S/P)モジュール204、パルス整形コントローラ201、及びフーリェ変換モジュール203は、図6の実施形態にしたがった対応するモジュールと一致する。詳細な説明は繰り返して行われない。図7に示されているように、パルス整形フィルタ202は、計算モジュール2021、ウィンドウモジュール2023、除去モジュール2025、及び記憶モジュール2027をさらに含んでもよい。
【０１３５】
第1のフラグビット
【０１３６】
【数４２】
2019512978.tif 000156
が、(例えば、"1"の)第1のイネーブル値に等しい場合に、計算モジュール2021、ウィンドウモジュール2023、及び除去モジュール2025は、一体として、S/Pモジュール204の出力信号に対応するOFDMシンボルのヘッダーにパルス整形処理を実行するように構成されてもよい。
【０１３７】
計算モジュール2021は、OFDMシンボルのヘッダー部分について、ヘッダー部分のX個のサンプリングポイントにおいて、そのOFDMシンボルから、前のOFDMシンボルの末尾部分のX個のサンプリングポイントを減算し、そして、ウィンドウモジュール2023に、その減算の後の得られるOFDMシンボルを出力する、ように構成されてもよく、Xは、正の整数である。上記の減算は、時間領域において、前のOFDMシンボルの末尾部分のX個のサンプリングポイントを減算することを示しているということに留意すべきである。例えば、図7に示されているように、Xは、2N2に等しくてもよい。図3を参照すると、2N2の物理的意味は、OFDMシンボルのヘッダー部分から、前のOFDMシンボルの末尾部分とそのOFDMシンボルとの間にある重複しているサンプリングポイントを減算するということを示しているということを知ることが可能である。
【０１３８】
ウィンドウモジュール2023は、減算の後に得られるOFDMシンボルのヘッダー部分について、あらかじめ設定されたウィンドウ関数の前半部分を使用することによって、そのヘッダー部分のM個のサンプリングポイントにおいて、OFDMシンボルにウィンドウ処理を実行し、そして、除去モジュール2025に、そのウィンドウ処理の後に得られるOFDMシンボルを出力する、ように構成されてもよく、Mは、正の整数である。
【０１３９】
例えば、図7に示されているように、Mは、(N1＋N2)に等しくてもよい。Mは、代替的に、例えば、(N1＋2N2)といったように、実際の適用の要求に応じて、他の値であってもよいということに留意すべきである。このことは、本明細書においては限定されない。
【０１４０】
除去モジュール2025は、ウィンドウ処理の後に得られるOFDMシンボルのための第1の長さのサイクリックプレフィックスを除去し、そして、サイクリックプレフィックスを除去した後に得られるOFDMシンボルを出力する、ように構成されてもよい。
【０１４１】
例えば、図7に示されているように、第1の長さは、(NCP＋N2)に等しくてもよい。実際の適用においては、代替的に、第1の長さは、例えば、(NCP＋2N2)といったように、NCP及びN2の整数倍の総和に等しくてもよい。代替的に、第1の長さは、他の値であってもよい。このことは、本明細書においては限定されない。
【０１４２】
第2のフラグビット
【０１４３】
【数４３】
2019512978.tif 000157
が、(例えば、"1"の)第2のイネーブル値に等しい場合に、ウィンドウモジュール2023及び除去モジュール2025は、一体として、S/Pモジュール204の出力信号に対応するOFDMシンボルの末尾にパルス整形処理を実行するように構成されていもよい。
【０１４４】
ウィンドウモジュール2023は、OFDMシンボルの末尾部分について、あらかじめ設定されたウィンドウ関数の後半部分を使用することによって、その末尾部分のN個のサンプリングポイントにおいて、OFDMシンボルにウィンドウ処理を実行し、そして、そのウィンドウ処理の後に得られるOFDMシンボルを除去モジュールに出力する、ように構成されてもよく、Nは、正の整数である。
【０１４５】
例えば、図7に示されているように、Nは、(N1＋N2)に等しくてもよい。Nは、代替的に、例えば、(N1＋2N2)といったように、実際の適用の要求に応じて、他の値であってもよいということに留意すべきである。このことは、本明細書においては限定されない。
【０１４６】
除去モジュール2025は、ウィンドウ処理の後に得られるOFDMシンボルのための第2の長さのサイクリックサフィックスを除去し、そして、サイクリックサフィックスを除去した後に得られるOFDMシンボルを出力する、ように構成されてもよい。
【０１４７】
例えば、図7に示されているように、第2の長さは、N2に等しくてもよい。実際の適用においては、代替的に、第2の長さは、例えば、(NCP＋2N2)といったように、NCP及びN2の整数倍の総和と等しくてもよい。代替的に、第2の長さは、他の値であってもよい。このことは、本明細書においては限定されない。
【０１４８】
加えて、図7に示されている受信機20の中の記憶モジュール2027は、記憶媒体の中に、S/Pモジュール204の出力信号に対応するOFDMシンボルの末尾部分のY個のサンプリングポイントを格納するように構成されてもよく、Yは、正の整数である。特定の実装において、Yは、Xと等しくてもよい、すなわち、その記憶媒体の中に、前のOFDMシンボルの末尾部分のX個のサンプリングポイントを格納してもよい。実際の適用においては、Yは、代替的に、Xよりも大きくてもよい。このことは、本明細書においては限定されない。
【０１４９】
この出願の他の実装においては、受信機20は、図8のように示されてもよい。シリアル―パラレル変換(S/P)モジュール204、パルス整形コントローラ201、及びフーリェ変換モジュール203は、図6の実施形態にしたがった対応するモジュールと一致する。詳細な説明は繰り返して行われない。図8に示されているように、パルス整形フィルタ202は、多相レジスタネットワークを含んでもよく、その多相レジスタネットワークは、構成されるパルスの長さK及び形状Ptypeに基づいて決定される受信端フィルタ係数に基づいて、S/Pモジュール204の出力信号にサブキャリアレベルのフィルタリングを実行し、そして、フーリェ変換モジュール203に、そのフィルタリングの後に得られる複数のサブキャリアを出力する、ように構成される。
【０１５０】
具体的には、図8に示されているように、多相レジスタネットワークの深さは、長さKと一致している。その長さK及びPtypeに基づいて、受信端フィルタ係数γrxを決定することが可能である。図8に示されている多相レジスタネットワークが受信する入力は、S/Pモジュール204が出力するnチャネルの信号である。
【０１５１】
この出願のさらに別の実装において、受信機20は、図7の実施形態にしたがったパルス整形フィルタ及び図8の実施形態にしたがったパルス整形フィルタを含んでもよい。これらの2つのフィルタの双方は、パルス整形コントローラ201及びフーリェ変換モジュール203に接続されている。
【０１５２】
ある1つの可能な実装において、図7及び図8にそれぞれ対応する実施形態にしたがったパルス整形フィルタは、2つのハードウェアモジュールであってもよい。これらの2つのハードウェアモジュールは、送信機10に独立して組み込まれ、パルス整形コントローラに別個に接続される。実際の適用においては、これらの2つのハードウェアモジュールは、代替的に、パルス整形コントローラの一部としてそのパルス整形コントローラに組み込まれていてもよい。
この出願は、ハードウェアアーキテクチャの中でのこれらの2つのハードウェアモジュールのレイアウト手法を限定するものではない。
【０１５３】
他の可能な実装において、図7及び図8にそれぞれ対応する実施形態にしたがったパルス整形フィルタは、2つのソフトウェアモジュールであってもよい。これらの2つのソフトウェアモジュールは、パルス整形コントローラの中で実行されてもよく、或いは、パルス整形コントローラとの間で通信することが可能である他の処理チップにおいて実行されてもよい。この出願は、これらの2つのソフトウェアモジュールの実行環境を限定するものではない。
【０１５４】
さらに別の実装において、パルス整形コントローラ201は、さらに、長さKが、(例えば、2の)あらかじめ設定された値よりも大きいか否かを決定し、そして、長さKがそのあらかじめ設定された値よりも大きい場合に、図8の実施形態にしたがったパルス整形フィルタにパルスパラメータを出力して、通信信号にパルス整形処理を実行するように、図8の実施形態にしたがったパルス整形フィルタをトリガするか、又は、長さKがそのあらかじめ設定された値に等しいか又はより小さい場合に、図7の実施形態にしたがったパルス整形フィルタにパルスパラメータを出力して、通信信号にパルス整形処理を実行するように、図7の実施形態にしたがったパルス整形フィルタをトリガする、ように構成されてもよい。
【０１５５】
図7の実施形態において使用されるパルスパラメータは、表1に示されているあらかじめ設定されたパラメータセットのサブセット、具体的にいうと、
【０１５６】
【数４４】
2019512978.tif 000158
であってもよく、又は、図8の実施形態において使用されるパルスパラメータは、表1に示されているあらかじめ設定されたパラメータセットの他のサブセット、具体的にいうと、{K,Ptype}であってもよいということを理解することが可能である。
【０１５７】
パルス整形コントローラ201が受信するパルス構成シグナリングの配送元及び生成手法の詳細については、送信機10の実施形態における関連する説明を参照するべきである。このことは、この出願においては限定されない。
【０１５８】
この出願のこの実施形態においては、受信機20の上位層は、(図1A乃至図1Cに示されている)複数の異なる通信シナリオに基づいて、パルス整形コントローラ201に、複数の異なるパルスパラメータを搬送するパルス構成シグナリングを送って、それらの複数の異なる通信シナリオについて複数の異なるパルス形状を構成するようにパルス整形フィルタ202を制御することが可能であり、それにより、複数の異なる通信シナリオに柔軟に対応することが可能である。
【０１５９】
図9を参照すると、図9は、この出願にしたがったパルス整形方法の概略的なフローチャートである。その方法は、例えば、図2、図4、及び図5に示されている送信機10等の送信端に適用される。図9に示されているように、その方法は、以下のステップを含む。
【０１６０】
S101.  パルス構成シグナリングを受信し、そのパルス構成シグナリングに基づいて、構成されるパルスに対応するパルスパラメータを生成する。
【０１６１】
S103.  シグナリングに応答して、通信信号に、送信端のサブキャリアレベルのフィルタリングを実行し、パルスパラメータに基づいて、通信信号にパルス整形処理を実行する。
【０１６２】
具体的には、パルス構成シグナリングは、パルスパラメータを搬送してもよく、そのシグナリングからパルスパラメータを直接的に取得してもよい。代替的に、パルス構成シグナリングは、そのパルスパラメータに関する指示情報のみを搬送してもよく、その指示情報に基づいて、パルスパラメータを取得してもよい。例えば、そのシグナリングは、あらかじめ設定されたデータベースの中のパルスパラメータのインデックスを搬送し、前もって、そのあらかじめ設定されたデータベースを送信機10に知らせる。その後、送信機10は、そのインデックスに基づいて、そのあらかじめ設定されたデータベースからパルスパラメータを獲得してもよい。上記の例は、この出願のある1つの実装に過ぎず、限定を構成するべきではない。実際の適用においては、複数の異なる実装が存在してもよい。
【０１６３】
この出願においては、パルスパラメータは、あらかじめ設定されたパラメータセットのすべて又は一部であってもよい。具体的には、そのあらかじめ設定されたパラメータセットについては、表1及び図2の実施形態にしたがった関連する記載内容を参照するべきである。本明細書においては、詳細な説明は繰り返しては行われない。
【０１６４】
この適用においては、パルスパラメータのグループは、対応して、ある特定のパルス形状を表す。表1の中の"定義"において説明されているように、第1のフラグビット
【０１６５】
【数４５】
2019512978.tif 000159
は、パルス整形がシンボルのヘッダーにおいて実行されるか否かを示すのに使用されてもよく、第2のフラグビット
【０１６６】
【数４６】
2019512978.tif 000160
は、パルス整形がシンボルの末尾において実行されるか否かを示すのに使用されてもよく、第1の値N1は、単一のシンボルの中に存在し、パルス整形が実行されるように構成され、大きさの重みが1に等しくないサンプリングポイントの数を示すのに使用されてもよく、第2の値N2は、単一のシンボルの外側に存在するとともに、パルス整形が実行されるように構成されるサンプリングポイントの数を示すのに使用されてもよく、Ptypeは、構成されるパルスの形状を示すのに使用されてもよく、Kは、単一のシンボル期間に対する構成されるパルスの長さを示すのに使用されてもよい。
【０１６７】
この出願は、さらに、S103のための2つの特定の実装を提供する。
【０１６８】
この出願にしたがって提供される第1の実装において、好ましくは、パルスの形状が(例えば、K≦2といったように)比較的短い長さとなっているシナリオにこの実装を適用する。この実装は、具体的には、以下のようになる。
【０１６９】
第1のフラグビット
【０１７０】
【数４７】
2019512978.tif 000161
が、(例えば、"1"の)第1のイネーブル値に等しい場合に、通信信号に対応するOFDMシンボルのヘッダーにパルス整形処理を実行してもよい。具体的なステップは、以下のステップを含んでもよい。
【０１７１】
S1031.  OFDMシンボルに第1の長さのサイクリックプレフィックスを追加する。具体的には、第1の長さの値の詳細については、図4の実施形態にしたがった関連する説明を参照するべきである。本明細書においては、詳細な説明は繰り返しては行われない。
【０１７２】
S1032.  追加したサイクリックプレフィックスを有するOFDMシンボルのヘッダー部分について、あらかじめ設定されたウィンドウ関数の前半部分を使用することによって、そのヘッダー部分のM個のサンプリングポイントにおいて、そのOFDMシンボルにウィンドウ処理を実行し、Mは、正の整数である。具体的には、Mの値の詳細については、図4の実施形態にしたがった関連する説明を参照するべきである。本明細書においては、詳細な説明は繰り返しては行われない。
【０１７３】
S1033.  ウィンドウ処理の後に得られるOFDMシンボルのヘッダー部分のX個のサンプリングポイントにおいて、前のOFDMシンボルの末尾部分のX個のサンプリングポイント及びOFDMシンボルを加算し、そして、その加算の後に得られるOFDMシンボルを出力する。具体的には、Xの値の詳細については、図4の実施形態にしたがった関連する説明を参照するべきである。本明細書においては、詳細な説明は繰り返しては行われない。
【０１７４】
第2のフラグビット
【０１７５】
【数４８】
2019512978.tif 000162
が、(例えば、"1"の)第2のイネーブル値に等しい場合に、通信信号に対応するOFDMシンボルの末尾にパルス整形処理を実行してもよい。具体的なステップは、以下のステップを含んでもよい。
【０１７６】
S1035.  OFDMシンボルに第2の長さのサイクリックサフィックスを追加する。具体的には、第2の長さの値の詳細については、図4の実施形態にしたがった関連する説明を参照するべきである。本明細書においては、詳細な説明は繰り返しては行われない。
【０１７７】
S1036.  第2の長さの追加したサイクリックサフィックスを有するOFDMシンボルの末尾部分について、あらかじめ設定されたウィンドウ関数の後半部分を使用することによって、末尾部分のN個のサンプリングポイントにおいて、そのOFDMシンボルにウィンドウ処理を実行し、Nは、正の整数である。Nの値の詳細については、図4の実施形態にしたがった関連する説明を参照するべきである。本明細書においては、詳細な説明は繰り返しては行われない。
【０１７８】
S1037.  記憶媒体の中に、ウィンドウ処理の後に得られるOFDMシンボルの末尾部分のY個のサンプリングポイントを格納する。具体的には、Yの値の詳細については、図4の実施形態にしたがった関連する説明を参照するべきである。本明細書においては、詳細な説明は繰り返しては行われない。
【０１７９】
第1の実装に関して言及されていない内容の詳細については、図4の実施形態を参照することが可能であるということに留意すべきである。本明細書においては、詳細な説明は繰り返しては行われない。
【０１８０】
この出願にしたがって提供される第2の実装において、好ましくは、パルスの形状が(例えば、K＞2といったように)比較的長い長さとなっているシナリオにこの実装を適用する。ステップS103は、特に、構成されるパルスの長さK及び形状Ptypeに基づいて決定される送信端フィルタ係数に基づいて、通信信号にサブキャリアレベルのフィルタリングを実行するステップを含んでもよい。
【０１８１】
具体的には、送信端フィルタは、多相レジスタネットワークを含んでもよいということを図5の実施形態から知ることが可能である。その多相レジスタネットワークの深さは、長さKと一致する。長さK及びPtypeに基づいて、送信端フィルタ係数gtxを決定してもよい。
【０１８２】
さらに、この出願にしたがって提供されるパルス整形方法は、S103を実行する前に、長さKが(例えば、2である)あらかじめ設定された値よりも大きいか否かを決定するステップ、及び、長さKがそのあらかじめ設定された値と等しいか又はより小さい場合に、第1の実装にしたがって実装されるS103を実行するようにトリガするステップ、又は、長さKがそのあらかじめ設定された値よりも大きい場合に、第2の実装にしたがって実装されるS103を実行するようにトリガするステップ、をさらに含んでもよい。
【０１８３】
この適用において言及されていない記載内容については、図2乃至図4に対応する実施形態を参照することが可能であるということに留意すべきである。本明細書においては、詳細な説明は繰り返しては行われない。
【０１８４】
この出願のこの実施形態において、通信信号に送信端のサブキャリアレベルのフィルタリングを実行する場合に、パルス構成シグナリングの中で搬送されるパルスパラメータに基づいて、その通信信号にパルス整形処理を実行する。複数の異なるパルス構成パラメータは、複数の異なるパルスの形状に対応している。したがって、送信端においてパルスの形状を柔軟に構成することが可能であり、それにより、複数の異なる通信シナリオに対応することが可能である。
【０１８５】
図10を参照すると、図10は、この出願にしたがったパルス整形方法の概略的なフローチャートである。その方法は、例えば、図6及び図8に示されている受信機20等の受信端に適用される。図10に示されているように、その方法は、以下のステップを含む。
【０１８６】
S201.  パルス構成シグナリングを受信し、そのパルス構成シグナリングは、構成されるパルスに対応するパルスパラメータを搬送する。
【０１８７】
S203.  シグナリングに応答して、通信信号に、受信端のサブキャリアレベルのフィルタリングを実行する際に、パルスパラメータに基づいて、通信信号にパルス整形処理を実行する。
【０１８８】
具体的には、パルス構成シグナリングは、パルスパラメータを搬送してもよく、そのシグナリングからパルスパラメータを直接的に取得してもよい。代替的に、パルス構成シグナリングは、そのパルスパラメータに関する指示情報のみを搬送してもよく、その指示情報に基づいて、パルスパラメータを取得してもよい。例えば、そのシグナリングは、あらかじめ設定されたデータベースの中のパルスパラメータのインデックスを搬送し、前もって、そのあらかじめ設定されたデータベースを受信機20に知らせる。その後、受信機20は、そのインデックスに基づいて、そのあらかじめ設定されたデータベースからパルスパラメータを獲得してもよい。上記の例は、この出願にしたがって提供されるある1つの実装に過ぎず、限定を構成するべきではない。実際の適用においては、複数の異なる実装が存在してもよい。
【０１８９】
この出願においては、パルスパラメータは、あらかじめ設定されたパラメータセットのすべて又は一部であってもよい。具体的には、そのあらかじめ設定されたパラメータセットについては、表1及び図2の実施形態にしたがった関連する記載内容を参照するべきである。本明細書においては、詳細な説明は繰り返しては行われない。
【０１９０】
この適用においては、パルスパラメータのグループは、対応して、ある特定のパルス形状を表す。表1の中の"定義"において説明されているように、第1のフラグビット
【０１９１】
【数４９】
2019512978.tif 000163
は、パルス整形がシンボルのヘッダーにおいて実行されるか否かを示すのに使用されてもよく、第2のフラグビット
【０１９２】
【数５０】
2019512978.tif 000164
は、パルス整形がシンボルの末尾において実行されるか否かを示すのに使用されてもよく、第1の値N1は、単一のシンボルの中に存在し、パルス整形が実行されるように構成され、大きさの重みが1に等しくないサンプリングポイントの数を示すのに使用されてもよく、第2の値N2は、単一のシンボルの外側に存在するとともに、パルス整形が実行されるように構成されるサンプリングポイントの数を示すのに使用されてもよく、Ptypeは、構成されるパルスの形状を示すのに使用されてもよく、Kは、単一のシンボル期間に対する構成されるパルスの長さを示すのに使用されてもよい。
【０１９３】
この出願は、さらに、S203のための2つの特定の実装を提供する。
【０１９４】
この出願にしたがって提供される第1の実装において、好ましくは、パルスの形状が(例えば、K≦2といったように)比較的短い長さとなっているシナリオにこの実装を適用する。この実装は、具体的には、以下のようになる。
【０１９５】
第1のフラグビット
【０１９６】
【数５１】
2019512978.tif 000165
が、(例えば、"1"の)第1のイネーブル値に等しい場合に、通信信号に対応するOFDMシンボルのヘッダーにパルス整形処理を実行してもよい。具体的なステップは、以下のステップを含んでもよい。
【０１９７】
S2031.  通信信号に対応するOFDMシンボルのヘッダー部分のX個のサンプリングポイントにおいて、OFDMシンボルから、前のOFDMシンボルの末尾部分のX個のサンプリングポイントを減算する。具体的には、Xの値の詳細については、図7の実施形態にしたがった関連する説明を参照するべきである。本明細書においては、詳細な説明は繰り返しては行われない。
【０１９８】
S2032.  減算の後に得られるOFDMシンボルのヘッダー部分について、あらかじめ設定されたウィンドウ関数の前半部分を使用することによって、そのヘッダー部分のM個のサンプリングポイントにおいて、そのOFDMシンボルにウィンドウ処理を実行する。具体的には、Mの値の詳細については、図7の実施形態にしたがった関連する説明を参照するべきである。本明細書においては、詳細な説明は繰り返しては行われない。
【０１９９】
S2033.  ウィンドウ処理の後に得られるOFDMシンボルのための第1の長さのサイクリックプレフィックスを除去する。具体的には、第1の長さの値の詳細については、図4の実施形態にしたがった関連する説明を参照するべきである。本明細書においては、詳細な説明は繰り返しては行われない。
【０２００】
第2のフラグビット
【０２０１】
【数５２】
2019512978.tif 000166
が、(例えば、"1"の)第2のイネーブル値に等しい場合に、通信信号に対応するOFDMシンボルの末尾にパルス整形処理を実行してもよい。具体的なステップは、以下のステップを含んでもよい。
【０２０２】
S2035.  通信信号に対応するOFDMシンボルの末尾部分について、あらかじめ設定されたウィンドウ関数の後半部分を使用することによって、その末尾部分のN個のサンプリングポイントにおいて、OFDMシンボルにウィンドウ処理を実行する。具体的には、Nの値の詳細については、図8の実施形態にしたがった関連する説明を参照するべきである。本明細書においては、詳細な説明は繰り返しては行われない。
【０２０３】
S2036.  ウィンドウ処理の後に得られるOFDMシンボルのための第2の長さのサイクリックサフィックスを除去する。具体的には、第2の長さの値の詳細については、図8の実施形態にしたがった関連する説明を参照するべきである。本明細書においては、詳細な説明は繰り返しては行われない。
【０２０４】
第1の実装に関して言及されていない内容の詳細については、図7の実施形態を参照することが可能であるということに留意すべきである。本明細書においては、詳細な説明は繰り返しては行われない。
【０２０５】
この出願にしたがって提供される第2の実装において、好ましくは、パルスの形状が(例えば、K＞2といったように)比較的長い長さとなっているシナリオにこの実装を適用する。ステップS203は、特に、構成されるパルスの長さK及び形状Ptypeに基づいて決定される受信端フィルタ係数に基づいて、通信信号にサブキャリアレベルのフィルタリングを実行するステップを含んでもよい。
【０２０６】
具体的には、送信端フィルタは、多相レジスタネットワークを含んでもよいということを図8の実施形態から知ることが可能である。その多相レジスタネットワークの深さは、長さKと一致する。長さK及びPtypeに基づいて、送信端フィルタ係数γrxを決定してもよい。
【０２０７】
さらに、この出願にしたがって提供されるパルス整形方法は、S203を実行する前に、長さKが(例えば、2である)あらかじめ設定された値よりも大きいか否かを決定するステップ、及び、長さKがそのあらかじめ設定された値と等しいか又はより小さい場合に、第1の実装にしたがって実装されるS203を実行するようにトリガするステップ、又は、長さKがそのあらかじめ設定された値よりも大きい場合に、第2の実装にしたがって実装されるS203を実行するようにトリガするステップ、をさらに含んでもよい。
【０２０８】
この適用において言及されていない記載内容については、図6乃至図8に対応する実施形態を参照することが可能であるということに留意すべきである。本明細書においては、詳細な説明は繰り返しては行われない。
【０２０９】
この出願のこの実施形態において、通信信号に受信端のサブキャリアレベルのフィルタリングを実行する場合に、パルス構成シグナリングの中で搬送されるパルスパラメータに基づいて、その通信信号にパルス整形処理を実行する。複数の異なるパルス構成パラメータは、複数の異なるパルスの形状に対応している。したがって、受信端においてパルスの形状を柔軟に構成することが可能であり、それにより、複数の異なる通信シナリオに対応することが可能である。
【０２１０】
加えて、この出願は、さらに、通信システムを提供する。その通信システムは、送信機及び受信機を含む。
【０２１１】
送信機は、それぞれ、図2、図4、及び図5に対応する実施形態にしたがって説明された送信機10であってもよい。その送信機の機能及び実装については、図2、図4、及び図5の記載内容を参照するべきである。本明細書においては、詳細な説明は繰り返しては行われない。
【０２１２】
受信機は、それぞれ、図6乃至図8に対応する実施形態にしたがって説明された受信機20であってもよい。その受信機の機能及び実装については、図6乃至図8の実施形態の記載内容を参照するべきである。本明細書においては、詳細な説明は繰り返しては行われない。
【０２１３】
複数の可能な実装のうちのいくつかにおいて、送信機は、図9の実施形態にしたがって説明されたパルス整形方法を実行する通信装置であってもよく、受信機は、図10の実施形態にしたがって説明されたパルス整形方法を実行する通信装置であってもよい。
【０２１４】
結論として、この出願にしたがって提供される送信機によれば、送信機側の上位層は、複数の異なる通信シナリオに基づいて、パルス整形コントローラに、複数の異なるパルスパラメータを搬送するパルス構成シグナリングを送って、それらの複数の異なる通信シナリオについて複数の異なるパルス形状を構成するようにパルス整形フィルタを制御することが可能であり、それにより、それらの複数の異なる通信シナリオに柔軟に対応することが可能である。この出願にしたがって提供される受信機によれば、受信機側の上位層は、複数の異なる通信シナリオに基づいて、パルス整形コントローラに、複数の異なるパルスパラメータを搬送するパルス構成シグナリングを送って、それらの複数の異なる通信シナリオについて複数の異なるパルス形状を構成するように受信機の中のパルス整形フィルタを制御することが可能であり、それにより、それらの複数の異なる通信シナリオに柔軟に対応することが可能である。
【０２１５】
当業者は、関連するハードウェアに命令するコンピュータプログラムによって、上記の複数の実施形態にしたがった方法の複数のプロセスのうちのすべて又は一部を実装することが可能であるということを理解することが可能である。プログラムは、コンピュータ読み取り可能な記憶媒体に格納されてもよい。そのプログラムが実行されると、それらの複数の方法の実施形態の上記の複数のプロセスが実行される。上記の記憶媒体は、プログラムコードを格納することが可能であるROM、ランダムアクセスメモリRAM、磁気ディスク、又は光ディスク等のいずれかの媒体を含む。
【手続補正３】
【補正対象書類名】図面
【補正対象項目名】図５
【補正方法】変更
【補正の内容】
【図５】
2019512978.tif 000167
【手続補正４】
【補正対象書類名】図面
【補正対象項目名】図８
【補正方法】変更
【補正の内容】
【図８】
2019512978.tif 000168
【手続補正５】
【補正対象書類名】図面
【補正対象項目名】図９
【補正方法】変更
【補正の内容】
【図９】
2019512978.tif 000169
【手続補正６】
【補正対象書類名】図面
【補正対象項目名】図１０
【補正方法】変更
【補正の内容】
【図１０】
2019512978.tif 000170
【国際調査報告】
2019512978.tif 000171
2019512978.tif 000172
2019512978.tif 000173
2019512978.tif 000174